(57)【要約】  ワイヤレスネットワーク上のクリアチャネルアセスメントのシステムおよび方法が開示される。一態様では、方法は、第１の送信帯域幅に基づいてクリアチャネルアセスメント（ＣＣＡ）しきい値を決定することと、決定されたクリアチャネルアセスメントしきい値に基づいて第１のバックオフ手順を実施することと、第１のバックオフ手順の完了に応答して第１のワイヤレスメッセージを送信することとを含む。
2016529774.tif 000002
【特許請求の範囲】
【請求項１】
ワイヤレスネットワーク上のクリアチャネルアセスメントの方法であって、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと、
前記第１のバックオフ手順の完了に応答して、前記第１の送信帯域幅を介して第１のワイヤレスメッセージを送信することと
を備える、方法。
【請求項２】
第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されたかどうかに基づいて、前記第１の送信帯域幅がアイドルであるかどうかを決定することと
を備える、請求項１に記載の方法。
【請求項３】
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルは、前記第１のエネルギーしきい値を下回るかどうかを決定することと、
前記エネルギーレベルが前記第１のエネルギーしきい値を下回るかどうかに基づいて、前記第１の送信帯域幅がアイドルであるかどうかを決定することと
を備える、請求項１に記載の方法。
【請求項４】
前記第１のバックオフ手順は、少なくとも部分的に並行して少なくとも２つのサブバックオフ手順を実施することを備え、各サブバックオフ手順が異なる対応する送信帯域幅に基づく、請求項１に記載の方法。
【請求項５】
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
をさらに備える、請求項４に記載の方法。
【請求項６】
前記第１のバックオフ手順を実施することは、
前記第１のバックオフ手順の完了に応答して、前記第１の送信帯域幅が利用可能であるかどうかを決定することと、ここにおいて、前記第１の送信帯域幅が利用可能である場合、前記第１の送信帯域幅で前記第１のワイヤレスメッセージが送信される、
前記第１の送信帯域幅が利用可能でない場合、前記第１の送信帯域幅よりも低い第２の送信帯域幅に基づいて、第２のサブバックオフ手順を実施することと、
前記第２のバックオフ手順の完了に応答して、前記第２の送信帯域幅が利用可能であるかどうかを決定することと、ここにおいて、前記第２の送信帯域幅が利用可能である場合、前記第２の送信帯域幅で前記第１のワイヤレスメッセージが送信される、
を備える、請求項１に記載の方法。
【請求項７】
ワイヤレスネットワーク上のクリアチャネルアセスメント用の装置であって、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと
を行うように構成された、プロセッサと、
前記第１のバックオフ手順の完了に応答して、前記第１の送信帯域幅を介して第１のワイヤレスメッセージを送信するように構成された、送信機と
を備える、装置。
【請求項８】
前記プロセッサは、
第１の送信帯域幅に基づいて、パケット検出エネルギーしきい値を決定するようにさらに構成され、前記プロセッサは、
前記パケット検出エネルギーしきい値に基づいて、パケットが前記ワイヤレスネットワーク上で送信されているかどうかを検出すること、および
パケットが検出されなかった場合、前記第１の送信帯域幅がアイドルであると決定すること
によって、前記第１のバックオフ手順を実施するように構成された、請求項７に記載の装置。
【請求項９】
前記プロセッサは、
前記第１の送信帯域幅に基づいて、第１のエネルギーしきい値を決定するようにさらに構成され、前記プロセッサは、
前記第１の送信帯域幅で受信されたワイヤレスネットワークのエネルギーレベルが、前記第１のエネルギーしきい値を下回るかどうかを決定すること、および
前記エネルギーレベルが前記第１のエネルギーしきい値を下回る場合、前記第１の送信帯域幅がアイドルであると決定すること
によって、前記第１のバックオフ手順を実施するようにさらに構成された、請求項７に記載の装置。
【請求項１０】
前記プロセッサは、少なくとも部分的に並行して少なくとも２つのサブバックオフ手順を実施することによって、前記第１のバックオフ手順を実施するように構成され、各サブバックオフ手順が異なる対応する送信帯域幅に基づく、請求項７に記載の装置。
【請求項１１】
前記プロセッサは、
前記少なくとも２つのサブバックオフ手順のうちの第１のサブバックオフ手順を完了させることと、
前記第１のサブバックオフ手順の完了に応答して、前記第１のサブバックオフ手順に対応する送信帯域幅を介して前記第１のワイヤレスメッセージを送信することと
を行うようにさらに構成された、請求項１０に記載の装置。
【請求項１２】
前記プロセッサは、
前記第１のバックオフ手順の完了に応答して、前記第１の送信帯域幅が利用可能であるかどうかを決定すること、
前記第１の送信帯域幅が利用可能であると決定された場合、前記第１の送信帯域幅で前記第１のワイヤレスメッセージを送信すること、
前記第１の送信帯域幅が利用可能でない場合、前記第１の送信帯域幅よりも低い第２の送信帯域幅に基づいて、第２のサブバックオフ手順を実施すること、
前記第２のバックオフ手順の完了に応答して、前記第２の送信帯域幅が利用可能であるかどうかを決定すること、および
前記第２の送信帯域幅が利用可能であると決定された場合、前記第２の送信帯域幅で前記第１のワイヤレスメッセージを送信すること
によって、前記第１のバックオフ手順を実施するように構成された、請求項７に記載の装置。
【請求項１３】
ワイヤレスネットワーク上のクリアチャネルアセスメント用の装置であって、
第１の送信帯域幅に基づいて、クリアチャネルアセスメント（ＣＣＡ）しきい値を決定するための手段と、
前記決定されたクリアチャネルアセスメントしきい値に基づいて、第１のバックオフ手順を実施するための手段と、
前記第１のバックオフ手順の完了に応答して、前記第１の送信帯域幅を介して第１のワイヤレスメッセージを送信するための手段と
を備える、装置。
【請求項１４】
第１の送信帯域幅に基づいて、パケット検出エネルギーしきい値を決定するための手段をさらに備え、前記第１のバックオフ手順を実施するための手段は、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を行うように構成された、請求項１３に記載の装置。
【請求項１５】
前記第１の送信帯域幅に基づいて、第１のエネルギーしきい値を決定するための手段をさらに備え、前記第１のバックオフ手順を実施するための手段は、
前記第１の送信帯域幅で受信されたワイヤレスネットワークのエネルギーレベルが、前記第１のエネルギーしきい値を下回るかどうかを決定することと
前記エネルギーレベルが前記第１のエネルギーしきい値を下回る場合、前記第１の送信帯域幅がアイドルであると決定することと
を行うように構成された、請求項１３に記載の装置。
【請求項１６】
前記第１のバックオフ手順を実施するための手段は、少なくとも部分的に並行して少なくとも２つのサブバックオフ手順を実施するように構成され、各サブバックオフ手順が異なる対応する送信帯域幅に基づく、請求項１３に記載の装置。
【請求項１７】
実行されたとき、ワイヤレスネットワーク上のクリアチャネルアセスメントの方法をプロセッサに実施させる命令を備える、コンピュータ可読記憶媒体であって、前記方法は、
第１の送信帯域幅に基づいて、クリアチャネルアセスメント（ＣＣＡ）しきい値を決定することと、
前記決定されたクリアチャネルアセスメントしきい値に基づいて、第１のバックオフ手順を実施することと、
前記第１のバックオフ手順の完了に応答して、前記第１の送信帯域幅を介して第１のワイヤレスメッセージを送信することと
を備える、コンピュータ可読記憶媒体。
【請求項１８】
前記方法は、
第１の送信帯域幅に基づいて、パケット検出エネルギーしきい値を決定することをさらに備え、前記第１のバックオフ手順を実施することは、
前記パケット検出エネルギーしきい値に基づいて、パケットが前記ワイヤレスネットワーク上で送信されているかどうかを検出することと、
パケットが検出されなかった場合、前記第１の送信帯域幅がアイドルであると決定することと
を備える、請求項１７に記載のコンピュータ可読記憶媒体。
【請求項１９】
前記方法は、
前記第１の送信帯域幅に基づいて、第１のエネルギーしきい値を決定することをさらに備え、前記第１のバックオフ手順を実施することは、
前記第１の送信帯域幅で受信されたワイヤレスネットワークのエネルギーレベルが、前記第１のエネルギーしきい値を下回るかどうかを決定することと、
前記エネルギーレベルが前記第１のエネルギーしきい値を下回る場合、前記第１の送信帯域幅がアイドルであると決定することと
を備える、請求項１７に記載のコンピュータ可読記憶媒体。
【請求項２０】
前記方法は、少なくとも部分的に並行して少なくとも２つのサブバックオフ手順を実施することをさらに備え、各サブバックオフ手順が異なる対応する送信帯域幅に基づく、請求項１７に記載のコンピュータ可読記憶媒体。
【発明の詳細な説明】
【技術分野】
【０００１】
[0001]本出願は、一般にワイヤレス通信に関し、より詳細には、チャネル依存クリアチャネルアセスメント評価手順のためのシステム、方法、およびデバイスに関する。
【背景技術】
【０００２】
[0002]多くの電気通信システムでは、いくつかの対話している空間的に分離されたデバイスの間でメッセージを交換するために、通信ネットワークが使用される。ネットワークは、たとえば、メトロポリタンエリア、ローカルエリア、またはパーソナルエリアであり得る、地理的範囲に従って分類される場合がある。そのようなネットワークは、それぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）に応じて異なる。
【０００３】
[0003]ワイヤレスネットワークは、ネットワーク要素がモバイルであり、したがって動的接続性の必要があるとき、またはネットワークアーキテクチャが固定トポロジーではなくアドホックトポロジーで形成されている場合にしばしば好適である。ワイヤレスネットワークは、無線、マイクロ波、赤外線、光などの周波数帯域内の電磁波を使用する非誘導伝搬モードにおいて、無形物理媒体を採用する。ワイヤレスネットワークは、有利なことに、固定有線ネットワークと比較されると、ユーザモビリティと迅速なフィールド展開とを容易にする。
【０００４】
[0004]無線ネットワーク内のデバイスは、互いの間で情報を送信／受信することができる。情報は、いくつかの態様ではデータユニットと呼ばれる場合があるパケットを備えることができる。パケットは、ネットワークを介してパケットをルーティングすること、パケット内のデータを識別すること、パケットを処理することなどを行う際に助けとなるオーバーヘッド情報（たとえば、ヘッダ情報、パケットプロパティなど）、ならびに、データ、たとえば、パケットのペイロード内で搬送され得るようなユーザデータ、マルチメディアコンテンツなどを含む場合がある。
【発明の概要】
【０００５】
[0005]添付の特許請求の範囲内のシステム、方法、およびデバイスの様々な実装形態は、それぞれがいくつかの態様を有し、それらのうちの単一の態様は、単独では本明細書に記載される望ましい属性に関与しない。添付の特許請求の範囲を限定することなく、いくつかの顕著な特徴が本明細書に記載される。この説明を考察すると、特に「発明を実施するための形態」と題するセクションを読むと、様々な実装形態の特徴により、媒体アクセスパラメータのチューニングがどのように可能になるかを理解されよう。
【０００６】
[0006]開示される一態様は、ワイヤレスネットワーク上のクリアチャネルアセスメントの方法である。方法は、送信電力レベルに基づいて第１のバックオフ手順を実施することと、第１のバックオフ手順の完了に応答して、その送信電力レベルでワイヤレスメッセージを送信することとを含む。いくつかの態様では、第１のバックオフ手順は、送信電力に基づいて第１のエネルギーしきい値を決定することと、第１のエネルギーしきい値に少なくとも部分的に基づいて、送信チャネルが利用可能であるかどうかを決定することとを含む。これらの態様のうちのいくつかでは、第１のバックオフ手順は、パケットが送信チャネル上で検出されたかどうかを決定することと、Ｗｉ−Ｆｉ（登録商標）パケットが検出されたかどうかに少なくとも部分的に基づいて、送信チャネルが利用可能であるかどうかを決定することとをさらに含む。
【０００７】
[0007]方法のいくつかの態様は、ワイヤレスメッセージ用の送信帯域幅を決定することと、送信帯域幅に基づいて送信電力を決定することとをさらに含む。方法のいくつかの態様では、第１のバックオフ手順は送信帯域幅に基づき、方法は、第１のバックオフ手順の完了に応答して、第２の送信帯域幅の利用可能性を決定することと、ここにおいて、ワイヤレス媒体が利用可能である場合、第２の送信帯域幅でワイヤレスメッセージが送信される、ワイヤレス媒体が利用可能でない場合、第２のバックオフ手順を実施することとをさらに含む。
【０００８】
[0008]方法のいくつかの態様では、第１のバックオフ手順は、少なくとも２つのサブバックオフ手順を並行して実施することと、各サブバックオフ手順は異なる送信帯域幅に基づく、少なくとも２つのサブバックオフ手順のうちの第１のサブバックオフ手順が第１の完了しきい値に到達したことに応答して、第１のサブバックオフ手順に対応する第１の送信帯域幅がある時間期間の間利用可能であるかどうかを決定することとを含み、ここにおいて、第１の送信帯域幅がその時間期間の間利用可能である場合、ワイヤレスメッセージは第１の送信帯域幅を介して送信される。
【０００９】
[0009]これらの態様のうちのいくつかでは、第１のバックオフ手順は、少なくとも２つのサブバックオフ手順のうちの第２のサブバックオフ手順が第２の完了しきい値に到達したことに応答して、第２のサブバックオフ手順に対応する第２の送信帯域幅がある時間期間の間利用可能であるかどうかを決定することをさらに含み、ここにおいて、第２の送信帯域幅がその時間期間の間利用可能である場合、ワイヤレスメッセージは第２の送信帯域幅を介して送信される。いくつかの態様では、時間期間はＰＩＦＳ時間期間である。
【００１０】
[0010]方法のいくつかの態様では、第１のバックオフ手順を実施することは、第１の送信帯域幅に基づいてバックオフ手順を実施することと、バックオフ手順の完了に応答して、第１の送信帯域幅が利用可能であるかどうかを決定することとを含み、ここにおいて、第１の送信帯域幅が利用可能である場合、ワイヤレスメッセージは第１の電力レベルで第１の送信帯域幅で送信され、第１の送信帯域幅が利用可能でない場合、ワイヤレスメッセージは、第１の送信帯域幅よりも低い送信帯域幅、および第１の電力レベルよりも低い電力レベルで送信される。
【００１１】
[0011]方法のいくつかの態様では、第１のバックオフ手順を実施することは、第１の送信帯域幅に基づいて第１のサブバックオフを実施することと、第１のサブバックオフ手順の完了後、第１の帯域幅よりも広い第２の送信帯域幅に基づいて第２のサブバックオフ手順を実施することとを含み、ワイヤレスメッセージは、第２のサブバックオフ手順の完了に応答して、第２の送信帯域幅で送信される。
【００１２】
[0012]これらの態様のうちのいくつかでは、第１のサブバックオフ手順は、第１のエネルギー検出しきい値に対する第１の送信帯域幅を介したエネルギーの測定値に基づく。
【００１３】
[0013]方法のいくつかの態様では、第１のバックオフ手順を実施することは、第１の送信帯域幅に基づいて第１のサブバックオフ手順を実施することと、第１のサブバックオフ手順の完了に応答して、第１の送信帯域幅が利用可能であるかどうかを決定することと、ここにおいて、第１の送信帯域幅が利用可能である場合、ワイヤレスメッセージは第１の送信帯域幅で送信される、第１の送信帯域幅が利用可能でない場合、第１の送信帯域幅よりも低い第２の送信帯域幅に基づいて第２のサブバックオフ手順を実施することと、第２のサブバックオフ手順の完了に応答して、第２の送信帯域幅が利用可能であるかどうかを決定することと、ここにおいて、第２の送信帯域幅が利用可能である場合、ワイヤレスメッセージは第２の送信帯域幅で送信される、を含む。
【００１４】
[0014]方法のいくつかの態様では、第１のバックオフ手順を実施することは、第１の送信帯域幅および第１の送信電力レベルに基づいて第１のサブバックオフ手順を実施することと、次いで、第１のサブバックオフ手順の完了に応答して、第１の送信電力レベルよりも高い第２の送信電力レベルに基づいて、第１の送信帯域幅よりも広い第２の送信帯域幅が利用可能であるかどうかを決定することとを含み、ここにおいて、第２の送信帯域幅が利用可能である場合、ワイヤレスメッセージは、第２の送信帯域幅、および第２の電力レベルを下回り第１の電力レベルを上回る第３の電力レベルで送信され、第２の送信帯域幅が利用可能でない場合、ワイヤレスメッセージは、第１の送信帯域幅および第１の送信電力レベルで送信される。
【００１５】
[0015]これらの態様のうちのいくつかでは、第３の電力レベルは、第１の送信帯域幅（ｄＢ）＋（１０＊ｌｏｇ１０（ｘ１／ｘ２）Ｄｂ）以下であり、ここで、ｘ１＝第１の送信帯域幅であり、ｘ２＝第２の送信帯域幅である。
【００１６】
[0016]開示される別の態様は、ワイヤレスネットワーク上のクリアチャネルアセスメント用の装置である。装置は、送信電力レベルに基づいて第１のバックオフ手順を実施するように構成されたプロセッサと、第１のバックオフ手順の完了に応答して、その送信電力レベルでワイヤレスメッセージを送信するように構成された送信機とを含む。
【００１７】
[0017]装置のいくつかの態様では、プロセッサは、送信電力に基づいて第１のエネルギーしきい値を決定すること、および第１のエネルギーしきい値に少なくとも部分的に基づいて、送信チャネルが利用可能であるかどうかを決定することによって、第１のバックオフ手順を実施するようにさらに構成される。
【００１８】
[0018]装置のいくつかの態様では、プロセッサは、パケットが送信チャネル上で検出されたかどうかを決定すること、およびＷｉ−Ｆｉパケットが検出されたかどうかに少なくとも部分的に基づいて、送信チャネルが利用可能であるかどうかを決定することによって、第１のバックオフ手順を実施するようにさらに構成される。
【００１９】
[0019]装置のいくつかの態様では、プロセッサは、ワイヤレスメッセージ用の送信帯域幅を決定することと、送信帯域幅に基づいて送信電力を決定することとを行うようにさらに構成される。
【００２０】
[0020]装置のいくつかの態様では、第１のバックオフ手順は送信帯域幅に基づく。これらの態様では、プロセッサは、第１のバックオフ手順の完了に応答して、第２の送信帯域幅の利用可能性を決定することと、ここにおいて、ワイヤレス媒体が利用可能である場合、ワイヤレスメッセージは第２の送信帯域幅で送信される、ワイヤレス媒体が利用可能でない場合、第２のバックオフ手順を実施することとを行うようにさらに構成される。
【００２１】
[0021]装置のいくつかの態様では、プロセッサは、少なくとも２つのサブバックオフ手順を並行して実施することと、各サブバックオフ手順は異なる送信帯域幅に基づく、少なくとも２つのサブバックオフ手順のうちの第１のサブバックオフ手順が第１の完了しきい値に到達したことに応答して、第１のサブバックオフ手順に対応する第１の送信帯域幅がある時間期間の間利用可能であるかどうかを決定することとを行うことによって、第１のバックオフ手順を実施するようにさらに構成され、送信機は、第１の送信帯域幅がその時間期間の間利用可能である場合、第１の送信帯域幅を介してワイヤレスメッセージを送信するようにさらに構成される。
【００２２】
[0022]装置のいくつかの態様では、プロセッサは、少なくとも２つのサブバックオフ手順のうちの第２のサブバックオフ手順が第２の完了しきい値に到達したことに応答して、第２のサブバックオフ手順に対応する第２の送信帯域幅がある時間期間の間利用可能であるかどうかを決定することによって、第１のバックオフ手順を実施するようにさらに構成される。これらの態様では、送信機は、第２の送信帯域幅がその時間期間の間利用可能である場合、第２の送信帯域幅を介してワイヤレスメッセージを送信するように構成される。これらの態様のうちのいくつかでは、時間期間はＰＩＦＳ時間期間である。
【００２３】
[0023]装置のいくつかの態様では、プロセッサは、第１の送信帯域幅に基づいてバックオフ手順を実施すること、およびバックオフ手順の完了に応答して、第１の送信帯域幅が利用可能であるかどうかを決定することによって、第１のバックオフ手順を実施するようにさらに構成される。これらの態様では、第１の送信帯域幅が利用可能である場合、送信機は、第１の電力レベルで第１の送信帯域幅でワイヤレスメッセージを送信するように構成され、第１の送信帯域幅が利用可能でない場合、送信機は、第１の送信帯域幅よりも低い送信帯域幅、および第１の電力レベルよりも低い電力レベルでワイヤレスメッセージを送信するように構成される。
【００２４】
[0024]装置のいくつかの態様では、プロセッサは、第１の送信帯域幅に基づいて第１のサブバックオフを実施すること、および第１のサブバックオフ手順の完了後、第１の帯域幅よりも広い第２の送信帯域幅に基づいて第２のサブバックオフ手順を実施することによって、第１のバックオフ手順を実施するようにさらに構成される。これらの態様では、送信機は、第２のサブバックオフ手順の完了に応答して、第２の送信帯域幅でワイヤレスメッセージを送信するように構成される。これらの態様のうちのいくつかでは、プロセッサは、第１のエネルギー検出しきい値に対する第１の送信帯域幅を介したエネルギーの測定値に、第１のサブバックオフ手順を基づかせるように構成される。
【００２５】
[0025]装置のいくつかの態様では、プロセッサは、第１の送信帯域幅に基づいて第１のサブバックオフ手順を実施すること、および第１のサブバックオフ手順の完了に応答して、第１の送信帯域幅が利用可能であるかどうかを決定することによって、第１のバックオフ手順を実施するようにさらに構成され、送信機は、第１の送信帯域幅が利用可能である場合、第１の送信帯域幅でワイヤレスメッセージを送信するように構成される。これらの態様では、第１の送信帯域幅が利用可能でない場合、プロセッサは、第１の送信帯域幅よりも低い第２の送信帯域幅に基づいて第２のサブバックオフ手順を実施することと、
[0026]第２のサブバックオフ手順の完了に応答して、第２の送信帯域幅が利用可能であるかどうかを決定することとを行うように構成される。これらの態様では、送信機は、第２の送信帯域幅が利用可能である場合、第２の送信帯域幅でワイヤレスメッセージを送信するように構成される。
【００２６】
[0027]装置のいくつかの態様では、プロセッサは、第１の送信帯域幅および第１の電力レベルに基づいて第１のサブバックオフ手順を実施すること、第１のサブバックオフ手順の完了に応答して、第１の送信電力レベルよりも高い第２の送信電力レベルに基づいて、第１の送信帯域幅よりも広い第２の送信帯域幅が利用可能であるかどうかを決定することによって、第１のバックオフ手順を実施するようにさらに構成される。これらの態様では、送信機は、第２の送信帯域幅が利用可能である場合、第２の送信帯域幅、および第２の電力レベルを下回り第１の電力レベルを上回る第３の電力レベルで、ワイヤレスメッセージを送信するように構成される。これらの態様では、送信機は、第２の送信帯域幅が利用可能でない場合、第１の送信帯域幅および第１の送信電力レベルでワイヤレスメッセージを送信するように構成される。
【００２７】
[0028]これらの態様のうちのいくつかでは、プロセッサは、第１の送信帯域幅（ｄＢ）＋（１０＊ｌｏｇ１０（ｘ１／ｘ２）Ｄｂ）以下であるように第３の電力レベルを決定するようにさらに構成され、ここで、ｘ１＝第１の送信帯域幅であり、ｘ２＝第２の送信帯域幅である。
【００２８】
[0029]開示される別の態様は、ワイヤレスネットワーク上のクリアチャネルアセスメント用の装置である。装置は、送信電力レベルに基づいて第１のバックオフ手順を実施するための手段と、第１のバックオフ手順の完了に応答して、その送信電力レベルでワイヤレスメッセージを送信するための手段とを含む。
【００２９】
[0030]装置のいくつかの態様では、第１のバックオフ手順を実施するための手段は、送信電力に基づいて第１のエネルギーしきい値を決定することと、第１のエネルギーしきい値に少なくとも部分的に基づいて、送信チャネルが利用可能であるかどうかを決定することとを行うようにさらに構成される。
【００３０】
[0031]装置のいくつかの態様では、第１のバックオフ手順を実施するための手段は、パケットが送信チャネル上で検出されたかどうかを決定することと、Ｗｉ−Ｆｉパケットが検出されたかどうかに少なくとも部分的に基づいて、送信チャネルが利用可能であるかどうかを決定することとを行うようにさらに構成される。
【００３１】
[0032]装置のいくつかの態様は、ワイヤレスメッセージ用の送信帯域幅を決定するための手段と、送信帯域幅に基づいて送信電力を決定するための手段とをさらに含む。
【００３２】
[0033]装置のいくつかの態様では、第１のバックオフ手順を実施するための手段は、第１のバックオフ手順を送信帯域幅に基づかせるように構成される。これらの態様では、装置は、第１のバックオフ手順の完了に応答して、第２の送信帯域幅の利用可能性を決定するための手段と、ここにおいて、ワイヤレス媒体が利用可能である場合、ワイヤレスメッセージは第２の送信帯域幅で送信される、ワイヤレス媒体が利用可能でない場合、第２のバックオフ手順を実施するための手段とをさらに備える。
【００３３】
[0034]装置のいくつかの態様では、第１のバックオフ手順を実施するための手段は、少なくとも２つのサブバックオフ手順を並行して実施することと、各サブバックオフ手順は異なる送信帯域幅に基づく、少なくとも２つのサブバックオフ手順のうちの第１のサブバックオフ手順が第１の完了しきい値に到達したことに応答して、第１のサブバックオフ手順に対応する第１の送信帯域幅がある時間期間の間利用可能であるかどうかを決定することとを行うようにさらに構成される。これらの態様では、ワイヤレスメッセージを送信するための手段は、第１の送信帯域幅がその時間期間の間利用可能である場合、第１の送信帯域幅を介してワイヤレスメッセージを送信するように構成される。
【００３４】
[0035]装置のいくつかの態様では、第１のバックオフ手順を実施するための手段は、少なくとも２つのサブバックオフ手順のうちの第２のサブバックオフ手順が第２の完了しきい値に到達したことに応答して、第２のサブバックオフ手順に対応する第２の送信帯域幅がある時間期間の間利用可能であるかどうかを決定するようにさらに構成される。これらの態様では、ワイヤレスメッセージを送信するための手段は、第２の送信帯域幅がその時間期間の間利用可能である場合、第２の送信帯域幅を介してワイヤレスメッセージを送信するように構成される。装置のいくつかの態様では、時間期間はＰＩＦＳ時間期間である。
【００３５】
[0036]装置のいくつかの態様では、第１のバックオフ手順を実施するための手段は、第１の送信帯域幅に基づいてバックオフ手順を実施することと、バックオフ手順の完了に応答して、第１の送信帯域幅が利用可能であるかどうかを決定することとを行うようにさらに構成され、ワイヤレスメッセージを送信するための手段は、第１の送信帯域幅が利用可能である場合、第１の電力レベルで第１の送信帯域幅でワイヤレスメッセージを送信するように構成される。これらの態様では、ワイヤレスメッセージを送信するための手段は、第１の送信帯域幅が利用可能でない場合、第１の送信帯域幅よりも低い送信帯域幅、および第１の電力レベルよりも低い電力レベルでワイヤレスメッセージを送信するように構成される。
【００３６】
[0037]装置のいくつかの態様では、第１のバックオフ手順を実施するための手段は、第１の送信帯域幅に基づいて第１のサブバックオフを実施することと、第１のサブバックオフ手順の完了後、第１の帯域幅よりも広い第２の送信帯域幅に基づいて第２のサブバックオフ手順を実施することとを行うように構成される。これらの態様では、ワイヤレスメッセージを送信するための手段は、第２のサブバックオフ手順の完了に応答して、第２の送信帯域幅でワイヤレスメッセージを送信するように構成される。
【００３７】
[0038]これらの態様のうちのいくつかでは、第１のバックオフ手順を実施するための手段は、第１のエネルギー検出しきい値に対する第１の送信帯域幅を介したエネルギーの測定値に第１のサブバックオフ手順を基づかせるように構成される。
【００３８】
[0039]装置のいくつかの態様では、第１のバックオフ手順を実施するための手段は、第１の送信帯域幅に基づいて第１のサブバックオフ手順を実施することと、第１のサブバックオフ手順の完了に応答して、第１の送信帯域幅が利用可能であるかどうかを決定することとを行うようにさらに構成される。これらの態様では、ワイヤレスメッセージを送信するための手段は、第１の送信帯域幅が利用可能である場合、第１の送信帯域幅でワイヤレスメッセージを送信するようにさらに構成される。これらの態様では、第１のバックオフ手順を実施するための手段は、第１の送信帯域幅が利用可能でない場合、第１の送信帯域幅よりも低い第２の送信帯域幅に基づいて第２のサブバックオフ手順を実施することと、第２のサブバックオフ手順の完了に応答して、第２の送信帯域幅が利用可能であるかどうかを決定することとを行うようにさらに構成され、ワイヤレスメッセージを送信するための手段は、第２の送信帯域幅が利用可能である場合、第２の送信帯域幅でワイヤレスメッセージを送信するように構成される。
【００３９】
[0040]装置のいくつかの態様では、第１のバックオフ手順を実施するための手段は、第１の送信帯域幅および第１の送信電力レベルに基づいて第１のサブバックオフ手順を実施することと、第１のサブバックオフ手順の完了に応答して、第１の送信電力レベルよりも高い第２の送信電力レベルに基づいて、第１の送信帯域幅よりも広い第２の送信帯域幅が利用可能であるかどうかを決定することとを行うようにさらに構成され、第２の送信帯域幅が利用可能である場合、ワイヤレスメッセージを送信するための手段は、第２の送信帯域幅、および第２の電力レベルを下回り第１の電力レベルを上回る第３の電力レベルで、ワイヤレスメッセージを送信するように構成され、第２の送信帯域幅が利用可能でない場合、ワイヤレスメッセージを送信するための手段は、第１の送信帯域幅および第１の送信電力レベルでワイヤレスメッセージを送信するように構成される。
【００４０】
[0041]これらの態様のうちのいくつかでは、送信するための手段は、第３の電力レベルが第１の送信帯域幅（ｄＢ）＋（１０＊ｌｏｇ１０（ｘ１／ｘ２）Ｄｂ）以下であると決定するように構成され、ここで、ｘ１＝第１の送信帯域幅であり、ｘ２＝第２の送信帯域幅である。
【００４１】
[0042]開示される別の態様は、実行されたとき、ワイヤレスネットワーク上のクリアチャネルアセスメントの方法をプロセッサに実施させる命令を含むコンピュータ可読記憶媒体である。方法は、送信電力レベルに基づいて第１のバックオフ手順を実施することと、第１のバックオフ手順の完了に応答して、その送信電力レベルでワイヤレスメッセージを送信することとを含む。方法のいくつかの態様では、第１のバックオフ手順は、送信電力に基づいて第１のエネルギーしきい値を決定することと、第１のエネルギーしきい値に少なくとも部分的に基づいて、送信チャネルが利用可能であるかどうかを決定することとを含む。方法のこれらの態様のうちのいくつかでは、第１のバックオフ手順は、パケットが送信チャネル上で検出されたかどうかを決定することと、Ｗｉ−Ｆｉパケットが検出されたかどうかに少なくとも部分的に基づいて、送信チャネルが利用可能であるかどうかを決定することとをさらに含む。
【００４２】
[0043]方法のいくつかの態様は、ワイヤレスメッセージ用の送信帯域幅を決定することと、送信帯域幅に基づいて送信電力を決定することとをさらに含む。方法のいくつかの態様では、第１のバックオフ手順は送信帯域幅に基づき、方法は、第１のバックオフ手順の完了に応答して、第２の送信帯域幅の利用可能性を決定することと、ここにおいて、ワイヤレス媒体が利用可能である場合、第２の送信帯域幅でワイヤレスメッセージが送信される、ワイヤレス媒体が利用可能でない場合、第２のバックオフ手順を実施することとをさらに含む。
【００４３】
[0044]方法のいくつかの態様では、第１のバックオフ手順は、少なくとも２つのサブバックオフ手順を並行して実施することと、各サブバックオフ手順は異なる送信帯域幅に基づく、少なくとも２つのサブバックオフ手順のうちの第１のサブバックオフ手順が第１の完了しきい値に到達したことに応答して、第１のサブバックオフ手順に対応する第１の送信帯域幅がある時間期間の間利用可能であるかどうかを決定することとを含み、第１の送信帯域幅がその時間期間の間利用可能である場合、ワイヤレスメッセージは第１の送信帯域幅を介して送信される。
【００４４】
[0045]方法のこれらの態様のうちのいくつかでは、第１のバックオフ手順は、少なくとも２つのサブバックオフ手順のうちの第２のサブバックオフ手順が第２の完了しきい値に到達したことに応答して、第２のサブバックオフ手順に対応する第２の送信帯域幅がある時間期間の間利用可能であるかどうかを決定することをさらに含み、第２の送信帯域幅がその時間期間の間利用可能である場合、ワイヤレスメッセージは第２の送信帯域幅を介して送信される。いくつかの態様では、時間期間はＰＩＦＳ時間期間である。
【００４５】
[0046]方法のいくつかの態様では、第１のバックオフ手順を実施することは、第１の送信帯域幅に基づいてバックオフ手順を実施することと、バックオフ手順の完了に応答して、第１の送信帯域幅が利用可能であるかどうかを決定することとを含み、ここにおいて、第１の送信帯域幅が利用可能である場合、ワイヤレスメッセージは第１の電力レベルで第１の送信帯域幅で送信され、第１の送信帯域幅が利用可能でない場合、ワイヤレスメッセージは、第１の送信帯域幅よりも低い送信帯域幅、および第１の電力レベルよりも低い電力レベルで送信される。
【００４６】
[0047]方法のいくつかの態様では、第１のバックオフ手順を実施することは、第１の送信帯域幅に基づいて第１のサブバックオフを実施することと、第１のサブバックオフ手順の完了後、第１の帯域幅よりも広い第２の送信帯域幅に基づいて第２のサブバックオフ手順を実施することとを含み、ワイヤレスメッセージは、第２のサブバックオフ手順の完了に応答して、第２の送信帯域幅で送信される。
【００４７】
[0048]これらの態様のうちのいくつかでは、第１のサブバックオフ手順は、第１のエネルギー検出しきい値に対する第１の送信帯域幅を介したエネルギーの測定値に基づく。
【００４８】
[0049]方法のいくつかの態様では、第１のバックオフ手順を実施することは、第１の送信帯域幅に基づいて第１のサブバックオフ手順を実施することと、第１のサブバックオフ手順の完了に応答して、第１の送信帯域幅が利用可能であるかどうかを決定することと、ここにおいて、第１の送信帯域幅が利用可能である場合、ワイヤレスメッセージは第１の送信帯域幅で送信される、第１の送信帯域幅が利用可能でない場合、第１の送信帯域幅よりも低い第２の送信帯域幅に基づいて第２のサブバックオフ手順を実施することと、第２のサブバックオフ手順の完了に応答して、第２の送信帯域幅が利用可能であるかどうかを決定することと、ここにおいて、第２の送信帯域幅が利用可能である場合、ワイヤレスメッセージは第２の送信帯域幅で送信される、を含む。
【００４９】
[0050]方法のいくつかの態様では、第１のバックオフ手順を実施することは、第１の送信帯域幅および第１の送信電力レベルに基づいて第１のサブバックオフ手順を実施することと、次いで、第１のサブバックオフ手順の完了に応答して、第１の送信電力レベルよりも高い第２の送信電力レベルに基づいて、第１の送信帯域幅よりも広い第２の送信帯域幅が利用可能であるかどうかを決定することとを含み、第２の送信帯域幅が利用可能である場合、ワイヤレスメッセージは、第２の送信帯域幅、および第２の電力レベルを下回り第１の電力レベルを上回る第３の電力レベルで送信され、第２の送信帯域幅が利用可能でない場合、ワイヤレスメッセージは、第１の送信帯域幅および第１の送信電力レベルで送信される。
【００５０】
[0051]これらの態様のうちのいくつかでは、第３の電力レベルは、第１の送信帯域幅（ｄＢ）＋（１０＊ｌｏｇ１０（ｘ１／ｘ２）Ｄｂ）以下であり、ここで、ｘ１＝第１の送信帯域幅であり、ｘ２＝第２の送信帯域幅である。
【００５１】
[0052]開示される別の態様は、ワイヤレスネットワーク上のクリアチャネルアセスメントの方法である。方法は、第１の送信帯域幅に基づいてクリアチャネルアセスメント（ＣＣＡ）しきい値を決定することと、決定されたクリアチャネルアセスメントしきい値に基づいて第１のバックオフ手順を実施することと、第１のバックオフ手順の完了に応答して、第１の送信帯域幅を介して第１のワイヤレスメッセージを送信することとを含む。いくつかの態様では、方法は、第１の送信帯域幅に基づいてパケット検出エネルギーしきい値を決定することを含む。第１のバックオフ手順を実施することは、パケット検出エネルギーしきい値に基づいて、パケットがワイヤレスネットワーク上で送信されているかどうかを検出することと、パケットが検出されたかどうかに基づいて、第１の送信帯域幅がアイドルであるかどうかを決定することとを含む。
【００５２】
[0053]いくつかの態様では、方法はまた、第１の送信帯域幅に基づいて第１のエネルギーしきい値を決定することを含む。これらの態様では、第１のバックオフ手順を実施することは、第１の送信帯域幅で受信されたワイヤレスネットワークのエネルギーレベルが第１のエネルギーしきい値を下回るかどうかを決定することと、エネルギーレベルが第１のエネルギーしきい値を下回るかどうかに基づいて、第１の送信帯域幅がアイドルであるかどうかを決定することとを含む。
【００５３】
[0054]いくつかの態様では、第１のバックオフ手順は、少なくとも部分的に並行して少なくとも２つのサブバックオフ手順を実施することを備え、各サブバックオフ手順は異なる対応する送信帯域幅に基づく。これらの態様のうちのいくつかでは、方法はまた、少なくとも２つのサブバックオフ手順のうちの第１のサブバックオフ手順を完了させることと、第１のサブバックオフ手順の完了に応答して、第１のサブバックオフ手順に対応する送信帯域幅を介して第１のワイヤレスメッセージを送信することとを含む。
【００５４】
[0055]方法のいくつかの態様では、第１のバックオフ手順を実施することは、第１のバックオフ手順の完了に応答して、第１の送信帯域幅が利用可能であるかどうかを決定することを含む。これらの態様では、第１の送信帯域幅が利用可能である場合、第１のワイヤレスメッセージは第１の送信帯域幅で送信される。第１の送信帯域幅が利用可能でない場合、第１の送信帯域幅よりも低い第２の送信帯域幅に基づいて第２のバックオフ手順を実施することと、第２のバックオフ手順の完了に応答して、第２の送信帯域幅が利用可能であるかどうかを決定することと、ここにおいて、第２の送信帯域幅が利用可能である場合、第１のワイヤレスメッセージは第２の送信帯域幅で送信される。
【００５５】
[0056]開示される別の態様は、ワイヤレスネットワーク上のクリアチャネルアセスメント用の装置である。装置は、第１の送信帯域幅に基づいてクリアチャネルアセスメント（ＣＣＡ）しきい値を決定することと、決定されたクリアチャネルアセスメントしきい値に基づいて第１のバックオフ手順を実施することとを行うように構成されたプロセッサと、第１のバックオフ手順の完了に応答して、第１の送信帯域幅を介して第１のワイヤレスメッセージを送信するように構成された送信機とを含む。
【００５６】
[0057]装置のいくつかの態様では、プロセッサは、第１の送信帯域幅に基づいてパケット検出エネルギーしきい値を決定するようにさらに構成される。これらの態様では、プロセッサは、パケット検出エネルギーしきい値に基づいて、パケットがワイヤレスネットワーク上で送信されているかどうかを検出すること、およびパケットが検出されなかった場合、第１の送信帯域幅がアイドルであると決定することによって、第１のバックオフ手順を実施するように構成される。
【００５７】
[0058]装置のいくつかの態様では、プロセッサは、第１の送信帯域幅に基づいて第１のエネルギーしきい値を決定するようにさらに構成され、プロセッサは、第１の送信帯域幅で受信されたワイヤレスネットワークのエネルギーレベルが第１のエネルギーしきい値を下回るかどうかを決定すること、およびエネルギーレベルが第１のエネルギーしきい値を下回る場合、第１の送信帯域幅がアイドルであると決定することによって、第１のバックオフ手順を実施するようにさらに構成される。
【００５８】
[0059]装置のいくつかの態様では、プロセッサは、少なくとも部分的に並行して少なくとも２つのサブバックオフ手順を実施することによって、第１のバックオフ手順を実施するように構成され、各サブバックオフ手順は異なる対応する送信帯域幅に基づく。
【００５９】
[0060]装置のいくつかの態様では、プロセッサは、少なくとも２つのサブバックオフ手順のうちの第１のサブバックオフ手順を完了させることと、第１のサブバックオフ手順の完了に応答して、第１のサブバックオフ手順に対応する送信帯域幅を介して第１のワイヤレスメッセージを送信することとを行うようにさらに構成される。装置のいくつかの態様では、プロセッサは、第１のバックオフ手順の完了に応答して、第１の送信帯域幅が利用可能であるかどうかを決定すること、および第１の送信帯域幅が利用可能であると決定された場合、第１の送信帯域幅で第１のワイヤレスメッセージを送信することによって、第１のバックオフ手順を実施するように構成される。第１の送信帯域幅が利用可能でない場合、第１の送信帯域幅よりも低い第２の送信帯域幅に基づいて第２のバックオフ手順を実施することと、第２のバックオフ手順の完了に応答して、第２の送信帯域幅が利用可能であるかどうかを決定することと、第２の送信帯域幅が利用可能であると決定された場合、第２の送信帯域幅で第１のワイヤレスメッセージを送信することと。
【００６０】
[0061]開示される別の態様は、ワイヤレスネットワーク上のクリアチャネルアセスメント用の装置である。装置は、第１の送信帯域幅に基づいてクリアチャネルアセスメント（ＣＣＡ）しきい値を決定するための手段と、決定されたクリアチャネルアセスメントしきい値に基づいて第１のバックオフ手順を実施するための手段と、第１のバックオフ手順の完了に応答して、第１の送信帯域幅を介して第１のワイヤレスメッセージを送信するための手段とを含む。
【００６１】
[0062]装置のいくつかの態様では、装置は、第１の送信帯域幅に基づいてパケット検出エネルギーしきい値を決定するための手段を含む。これらの態様では、第１のバックオフ手順を実施するための手段は、パケット検出エネルギーしきい値に基づいて、パケットがワイヤレスネットワーク上で送信されているかどうかを検出することと、パケットが検出されなかった場合、第１の送信帯域幅がアイドルであると決定することとを行うように構成される。
【００６２】
[0063]装置のいくつかの態様はまた、第１の送信帯域幅に基づいて第１のエネルギーしきい値を決定するための手段を含む。これらの態様では、第１のバックオフ手順を実施するための手段は、第１の送信帯域幅で受信されたワイヤレスネットワークのエネルギーレベルが第１のエネルギーしきい値を下回るかどうかを決定することと、エネルギーレベルが第１のエネルギーしきい値を下回る場合、第１の送信帯域幅がアイドルであると決定することとを行うように構成される。
【００６３】
[0064]装置のいくつかの態様では、第１のバックオフ手順を実施するための手段は、少なくとも部分的に並行して少なくとも２つのサブバックオフ手順を実施するように構成され、各サブバックオフ手順は異なる対応する送信帯域幅に基づく。
【００６４】
[0065]開示される別の態様は、実行されたとき、ワイヤレスネットワーク上のクリアチャネルアセスメントの方法をプロセッサに実施させる命令を備えるコンピュータ可読記憶媒体である。方法は、第１の送信帯域幅に基づいてクリアチャネルアセスメント（ＣＣＡ）しきい値を決定することと、決定されたクリアチャネルアセスメントしきい値に基づいて第１のバックオフ手順を実施することと、第１のバックオフ手順の完了に応答して、第１の送信帯域幅を介して第１のワイヤレスメッセージを送信することとを含む。
【００６５】
[0066]いくつかの態様では、方法はまた、第１の送信帯域幅に基づいてパケット検出エネルギーしきい値を決定することを含む。これらの態様では、第１のバックオフ手順を実施することは、パケット検出エネルギーしきい値に基づいて、パケットがワイヤレスネットワーク上で送信されているかどうかを検出することと、パケットが検出されなかった場合、第１の送信帯域幅がアイドルであると決定することとを含む。
【００６６】
[0067]コンピュータ可読媒体のいくつかの態様では、方法は、第１の送信帯域幅に基づいて第１のエネルギーしきい値を決定することをさらに備える。これらの態様では、第１のバックオフ手順を実施することは、第１の送信帯域幅で受信されたワイヤレスネットワークのエネルギーレベルが第１のエネルギーしきい値を下回るかどうかを決定することと、エネルギーレベルが第１のエネルギーしきい値を下回る場合、第１の送信帯域幅がアイドルであると決定することとを含む。いくつかの態様では、方法はまた、少なくとも部分的に並行して少なくとも２つのサブバックオフ手順を実施することを含み、各サブバックオフ手順は異なる対応する送信帯域幅に基づく。
【図面の簡単な説明】
【００６７】
【図１】[0068]本開示の態様が採用され得るワイヤレス通信システムの一例を示す図。
【図２】[0069]図１のワイヤレス通信システム内で採用され得るワイヤレスデバイスの一例を示す図。
【図３】[0070]様々なＣＣＡしきい値を有する２つ以上のタイプへのチャネルの分割の一例を示す図。
【図４Ａ】[0071]８０２．１１ａｈワイヤレスネットワークの一実装形態において、クリアチャネルアセスメントがどのように実行されるかを示すフローチャート。
【図４Ｂ】[0072]８０２．１１ａｈワイヤレスネットワークの一実装形態において、クリアチャネルアセスメントがどのように実行されるかを示すフローチャート。
【図５】[0073]１次チャネルのクリアチャネルアセスメントの一実装形態を示すフローチャート。
【図６Ａ】[0074]２次チャネルのクリアチャネルアセスメントの一実装形態を示すフローチャート。
【図６Ｂ】[0075]２次チャネルのクリアチャネルアセスメントの一実装形態を示す図６Ａのフローチャートの続きを示す図。
【図７Ａ】[0076]等しい送信電力を有する２つのワイヤレスデバイス間のクリアチャネルアセスメントの延期を示す図。
【図７Ｂ】[0077]異なる送信電力を利用する２つのワイヤレスデバイス間のクリアチャネルアセスメントの延期を示す図。
【図７Ｃ】[0078]異なる送信帯域幅を利用する２つのワイヤレスデバイス間のクリアチャネルアセスメントの延期を示す図。
【図８Ａ】[0079]ワイヤレスネットワーク上の送信電力ベースのクリアチャネルアセスメント用のプロセスのフローチャート。
【図８Ｂ】[0080]図２のワイヤレス通信システム内で採用され得るワイヤレス装置の機能ブロック図。
【図９Ａ】[0081]クリアチャネルアセスメントの方法の一実装形態のフローチャート。一態様では、プロセス９００は図２のワイヤレスデバイス２０２によって実行される場合がある。
【図９Ｂ】[0082]図２のワイヤレス通信システム内で採用され得るワイヤレス装置の機能ブロック図。
【図１０Ａ】[0083]クリアチャネルアセスメントの一実装形態のフローチャート。
【図１０Ｂ】[0084]図２のワイヤレス通信システム内で採用され得るワイヤレス装置の機能ブロック図。
【図１１Ａ】[0085]ワイヤレス媒体上のクリアチャネルアセスメントの方法の１つの例示的な実装形態を示す図。
【図１１Ｂ】[0086]図２のワイヤレス通信システム内で採用され得るワイヤレス装置の機能ブロック図。
【図１２Ａ】[0087]ワイヤレス媒体上の送信電力ベースのクリアチャネルアセスメントの方法の１つの例示的な実装形態を示す図。
【図１２Ｂ】[0088]図２のワイヤレス通信システム内で採用され得るワイヤレス装置の機能ブロック図。
【図１３Ａ】[0089]ワイヤレス媒体上の送信電力ベースのクリアチャネルアセスメントの方法の１つの例示的な実装形態を示す図。
【図１３Ｂ】[0090]図２のワイヤレス通信システム内で採用され得るワイヤレス装置の機能ブロック図。
【図１４Ａ】[0091]ワイヤレス媒体上の送信電力ベースのクリアチャネルアセスメントの方法の１つの例示的な実装形態を示す図。
【図１４Ｂ】[0092]図２のワイヤレス通信システム内で採用され得るワイヤレス装置の機能ブロック図。
【図１５Ａ】[0093]ワイヤレスネットワーク上のクリアチャネルアセスメントの方法の１つの例示的な実装形態を示す図。
【図１５Ｂ】[0094]図２のワイヤレス通信システム内で採用され得るワイヤレス装置の機能ブロック図。
【発明を実施するための形態】
【００６８】
[0095]添付の図面を参照して、新規のシステム、装置、および方法の様々な態様が以下でより十分に記載される。しかしながら、開示される教示は、多くの異なる形態で実践され得るものであり、本開示全体にわたって提示される任意の具体的な構造または機能に限定されるものと解釈されるべきでない。むしろ、これらの態様は、本開示が徹底的で完全なものとなり、本開示の範囲を当業者に完全に伝えるように与えられるものである。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者なら諒解されたい。たとえば、本明細書に記載される任意の数の態様を使用して、装置が実装されてよく、または方法が実践されてよい。加えて、本発明の範囲は、本明細書に記載される本発明の様々な態様に加えて、またはそれらの態様以外に、他の構造、機能、または構造および機能を使用して実践される、そのような装置または方法を包含するものである。本明細書で開示される任意の態様が、請求項の１つまたは複数の要素によって具現化され得ることを理解されたい。
【００６９】
[0096]特定の態様が本明細書に記載されるが、これらの態様の多くの変形および並べ替えは、本開示の範囲内に入る。好適な態様のいくつかの利益および利点が言及されるが、本開示の範囲は特定の利益、使用、または目的に限定されるものではない。むしろ、本開示の態様は、様々なワイヤレス技術、システム構成、ネットワーク、および伝送プロトコルに広く適用可能なものであり、そのうちのいくつかが図面および好適な態様の以下の説明において例として示される。発明を実施するための形態および各図面は、限定的ではなく、本開示の例示にすぎず、本開示の範囲は、添付の特許請求の範囲およびその均等物によって定義される。
【００７０】
[0097]ワイヤレスネットワーク技術は、様々なタイプのワイヤレスローカルエリアネットワーク（ＷＬＡＮ）を含む場合がある。ＷＬＡＮは、広く使用されているネットワーキングプロトコルを採用して、近くのデバイスを一緒に相互接続するために使用され得る。本明細書に記載される様々な態様は、ＷｉＦｉ（登録商標）、またはより一般的には、ワイヤレスプロトコルのＩＥＥＥ８０２．１１ファミリーの任意のメンバなどの任意の通信規格に適用され得る。たとえば、本明細書に記載される様々な態様は、サブ１ＧＨｚ帯域を使用するＩＥＥＥ８０２．１１ａｈプロトコルの一部として使用され得る。
【００７１】
[0098]いくつかの態様では、サブギガヘルツ帯域内のワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１ａｈプロトコルに従って送信され得る。８０２．１１ａｈプロトコルの実装形態は、センサ、検針、およびスマートグリッドネットワークに使用され得る。有利なことに、８０２．１１ａｈプロトコルを実装するいくつかのデバイスの態様は、他のワイヤレスプロトコルを実装するデバイスよりも消費する電力が少ない場合があり、および／または、比較的長い距離、たとえば約１キロメートル以上にわたってワイヤレス信号を送信するために使用され得る。
【００７２】
[0099]いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）および（ステーションまたは「ＳＴＡ」とも呼ばれる）クライアントが存在する場合がある。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、ＷｉＦｉ（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。
【００７３】
[00100]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは他の何らかの用語を備えるか、それらのいずれかとして実装されるか、またはそれらのいずれかとして知られる場合がある。
【００７４】
[00101]ステーション「ＳＴＡ」は、アクセス端末（「ＡＴ」）、加入者局、加入者ユニット、移動局、リモートステーション、リモート端末、ユーザ端末、ユーザエージェント、ユーザデバイス、ユーザ機器、もしくは他の何らかの用語を備えるか、それらのいずれかとして実装されるか、またはそれらのいずれかとして知られる場合がある。いくつかの実装形態では、アクセス端末は、携帯電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された他の何らかの適切な処理デバイスを備える場合がある。したがって、本明細書で教示される１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイスもしくは衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００７５】
[00102]上記で説明されたように、本明細書に記載されるデバイスのいくつかは、たとえば、８０２．１１ａｈ規格を実装することができる。そのようなデバイスは、ＳＴＡとして使用されるか、ＡＰとして使用されるか、他のデバイスとして使用されるかにかかわらず、スマート検針用に、またはスマートグリッドネットワークにおいて使用され得る。そのようなデバイスは、センサアプリケーションを提供することができるか、またはホームオートメーションにおいて使用され得る。デバイスは、代わりにまたは加えて、たとえばパーソナルヘルスケアのために、ヘルスケアの状況において使用され得る。それらはまた、（たとえばホットスポットとともに使用するための）広範囲のインターネット接続を可能にするために、または機械間通信を実装するために、監視に使用され得る。
【００７６】
[00103]ステーションおよびＡＰなどのワイヤレスノードは、８０２．１１ａｈ規格に準拠するネットワークなどの、キャリア検知多重アクセス（ＣＳＭＡ）タイプのネットワーク内で対話することができる。ＣＳＭＡは、確率的媒体アクセス制御（ＭＡＣ）プロトコルである。「キャリア検知」は、媒体上で送信しようと試みるノードが、それ自体の送信を送ろうと試みる前に、搬送波を検出するためにその受信機からのフィードバックを使用できることを表す。「多重アクセス」は、複数のノードが共有媒体上で送信および受信できることを表す。したがって、ＣＳＭＡタイプのネットワークでは、送信ノードは媒体を検知し、媒体がビジーである（すなわち、別のノードが媒体上で送信している）場合、送信ノードはその送信を後の時間に延期する。しかしながら、媒体がフリーとして検知された場合、送信ノードは媒体上でそのデータを送信することができる。
【００７７】
[00104]ノードが媒体上で送信しようと試みる前に媒体の状態を決定するために、クリアチャネルアセスメント（ＣＣＡ）が使用される。ＣＣＡ手順は、ノードの受信機がオンにされ、ノードが、現在、パケットなどのデータユニットを送信していない間に実行される。ノードは、たとえば、パケットのＰＨＹプリアンブルを検出することによりパケットの開始を検出することによって、媒体がクリアであるかどうかを検知することができる。この方法は、比較的弱い信号を検出することができる。したがって、この方法では検出しきい値はより低い。代替方法は、電波上で何らかのエネルギーを検出することであり、これはエネルギー検出（ＥＤ）と呼ばれる場合がある。この方法は、パケットの開始を検出することよりも比較的困難であり、比較的強い信号しか検出しない場合がある。したがって、この方法では検出しきい値はより高い。一般に、媒体上での別の送信の検出は、送信の受信電力の関数であり、受信電力は、送信電力から経路損失を減じたものである。
【００７８】
[00105]ＣＳＭＡは、頻繁に使用されない媒体に対して特に有効であるが、媒体に同時にアクセスしようと試みる多くのデバイスで媒体が混雑した場合、性能劣化が起こる可能性がある。複数の送信ノードが一度に媒体を使用しようと試みると、同時送信間の衝突が生じる場合があり、送信されたデータが損失または破損する場合がある。ワイヤレスデータ通信では、一般に、媒体上で送信している間に媒体をリッスンすることが可能ではないので、衝突検出は可能ではない。さらに、１つのノードによる送信は、一般に、送信ノードのレンジ内にある媒体を使用する他のノードによってのみ受信される。これは隠れノード問題として知られ、それにより、たとえば、受信ノードに送信することを望む、受信ノードのレンジ内にある第１のノードは、受信ノードに現在送信している第２のノードのレンジ内になく、したがって、第１のノードは、第２のノードが受信ノードに送信しており、したがって、媒体を占有していることを知ることができない。そのような状況では、第１のノードは、媒体がフリーであることを検知し送信を開始することができ、それにより、次いで受信ノードにおいて衝突および紛失データが生じる可能性がある。したがって、衝突領域内のすべての送信ノード間で媒体へのアクセスをいくぶん均等に分割しようと試みることによってＣＳＭＡの性能を改善するために、衝突回避方式が使用される。特に、衝突回避は、媒体の性質、この場合、無線周波数スペクトルに起因する衝突検出とは異なる。
【００７９】
[00106]衝突回避（ＣＡ）を利用するＣＳＭＡネットワークでは、送信することを望むノードは、最初に媒体を検知し、媒体がビジーである場合、ある時間期間の間延期する（すなわち、送信しない）。延期期間の後に、ランダムバックオフ期間、すなわち、送信することを望むノードが媒体にアクセスしようと試みない追加の時間期間が続く。バックオフ期間は、同時に媒体にアクセスしようと試みる異なるノード間の競合を解決するために使用される。バックオフ期間はコンテンションウィンドウと呼ばれる場合もある。バックオフは、媒体にアクセスしようと試みる各ノードが、あらかじめ定義されたレンジ内の乱数を選ぶことを必要とする。次いで、各ノードは、再び媒体にアクセスしようと試みる前に、乱数の時間スロットの間待機する。次いで、ノードは、その待機時間の間に別のノードが媒体にアクセスしたかどうかを決定する。
【００８０】
[00107]スロット時間は、前のスロットの始めに別のノードが媒体にアクセスしたかどうかをノードが決定することが常に可能であるように定義される。特に、８０２．１１規格は指数関数バックオフアルゴリズム使用する。８０２．１１手法では、ノードがスロットを選択し、別のノードが送信したことを検知するたびに、上記で説明されたランダムなレンジの最大数が指数関数的に増大する。一方、送信することを望むノードが、（８０２．１１規格では分散フレーム間スペース（ＤＩＦＳ）と呼ばれる）指定された時間の間に媒体をフリーとして検知した場合、ノードは、媒体上で送信することを許可される。
【００８１】
[00108]送信が発生した後に、受信ノードは、受信データの巡回冗長検査（ＣＲＣ）を実行し、送信ノードに確認応答を返送することができる。送信ノードによる確認応答の受信は、衝突が生じていないことを送信ノードに示すことになる。同様に、送信ノードで確認応答の受信がないことは、衝突が生じたことと、送信ノードがデータを再送すべきであることとを示す。
【００８２】
[00109]図１は、本開示の態様が採用され得るワイヤレス通信システム１００の一例を示す。ワイヤレス通信システム１００は、ワイヤレス規格、たとえば、８０２．１１ａｈ規格に従って動作することができる。ワイヤレス通信システム１００は、ＳＴＡ１０６と通信するＡＰ１０４を含む場合がある。
【００８３】
[00110]ＡＰ１０４とＳＴＡ１０６との間のワイヤレス通信システム１００における送信のために、様々なプロセスおよび方法が使用される場合がある。たとえば、信号は、ＯＦＤＭ／ＯＦＤＭＡ技法に従って、ＡＰ１０４とＳＴＡ１０６との間で送受信される場合がある。その場合には、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。その場合には、ワイヤレス通信システム１００は、ＣＤＭＡシステムと呼ばれる場合がある。
【００８４】
[00111]ＡＰ１０４からＳＴＡ１０６のうちの１つまたは複数への送信を容易にする通信リンクは、ダウンリンク（ＤＬ）１０８と呼ばれる場合があり、ＳＴＡ１０６のうちの１つまたは複数からＡＰ１０４への送信を容易にする通信リンクは、アップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００８５】
[00112]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信にＡＰ１０４を使用するＳＴＡ１０６とともに、基本サービスセット（ＢＳＳ）と呼ばれる場合がある。ワイヤレス通信システム１００は、中央ＡＰ１０４を有していない場合があり、むしろ、ＳＴＡ１０６間のピアツーピアネットワークとして機能する場合があることに留意されたい。したがって、本明細書に記載されるＡＰ１０４の機能は、ＳＴＡ１０６のうちの１つまたは複数によって代替的に実行される場合がある。
【００８６】
[00113]ＳＴＡ１０６は、タイプが限定されず、多種多様なＳＴＡを含む場合がある。たとえば、図１に示されたように、ＳＴＡ１０６には、いくつか例を挙げると、携帯電話１０６ａ、テレビジョン１０６ｂ、ラップトップ１０６ｃ、およびいくつかのセンサ１０６ｄ〜ｆ（たとえば、ワイヤレスプロトコルを使用して通信することが可能な気象センサまたは他のセンサ）が含まれ得る。
【００８７】
[00114]図２は、ワイヤレス通信システム１００内で採用され得るワイヤレスデバイス２０２で利用され得る様々な構成要素を示す。ワイヤレスデバイス２０２は、本明細書に記載される様々な方法を実施するように構成され得るデバイスの一例である。たとえば、ワイヤレスデバイス２０２は、ＡＰ１０４、またはＳＴＡ１０６のうちの１つを備えることができる。
【００８８】
[00115]ワイヤレスデバイス２０２は、ワイヤレスデバイス２０２の動作を制御するプロセッサ２０４を含む場合がある。プロセッサ２０４は、中央処理装置（ＣＰＵ）と呼ばれる場合もある。読取り専用メモリ（ＲＯＭ）とランダムアクセスメモリ（ＲＡＭ）の両方を含む場合があるメモリ２０６は、プロセッサ２０４に命令とデータとを供給する。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて論理演算と算術演算とを実行する。メモリ２０６内の命令は、本明細書に記載される方法を実施するように実行可能であり得る。
【００８９】
[00116]プロセッサ２０４は、１つもしくは複数のプロセッサによって実装された処理システムを備えてよく、またはその構成要素であってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せにより実装される場合がある。
【００９０】
[00117]処理システムは、ソフトウェアを記憶するための機械可読媒体を含む場合もある。ソフトウェアは、ソフトウェア、ファームウェア、ミドルウェア、マイクロコード、ハードウェア記述言語、または他の用語の名称にかかわらず、任意のタイプの命令を意味するように広く解釈されるものとする。命令は、（たとえば、ソースコードフォーマット、バイナリコードフォーマット、実行可能コードフォーマット、または任意の他の適切なコードのフォーマットの）コードを含む場合がある。命令は、１つまたは複数のプロセッサによって実行されたときに、本明細書に記載される様々な機能を処理システムに実行させる。
【００９１】
[00118]ワイヤレスデバイス２０２は、ワイヤレスデバイス２０２と遠隔地との間のデータの送信と受信とを可能にするために、送信機２１０と受信機２１２とを含む場合もある。さらに、送信機２１０および受信機２１２は、ワイヤレスデバイス２０２と、たとえばＡＰを含む遠隔地との間のセットアップおよび／または構成のパケットまたはフレームの送信と受信とを可能にするように構成される場合がある。送信機２１０および受信機２１２は、トランシーバ２１４の中に組み合わされる場合がある。アンテナ２１６は、筐体２０８に取り付けられ、トランシーバ２１４に電気的に結合される場合がある。代替または追加として、ワイヤレスデバイス２０２は、筐体２０８の一部として形成されたアンテナ２１６を含む場合があるか、または内部アンテナであり得る。ワイヤレスデバイス２０２は、複数の送信機、複数の受信機、複数のトランシーバ、および／または複数のアンテナを含む場合もある（図示せず）。
【００９２】
[00119]ワイヤレスデバイス２０２は、トランシーバ２１４によって受信された信号のレベルを検出し、定量化するために使用され得る、信号検出器２１８を含む場合もある。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使用するデジタル信号プロセッサ（ＤＳＰ）２２０を含む場合もある。ＤＳＰ２２０は、送信用のデータユニットを生成するように構成される場合がある。いくつかの態様では、このデータユニットは、物理レイヤデータユニット（ＰＰＤＵ）を備える場合がある。いくつかの態様では、ＰＰＤＵはパケットまたはフレームと呼ばれる。
【００９３】
[00120]いくつかの態様では、ワイヤレスデバイス２０２は、ユーザインターフェース２２２をさらに備える場合がある。ユーザインターフェース２２２は、キーパッド、マイクロフォン、スピーカ、および／またはディスプレイを備える場合がある。ユーザインターフェース２２２は、ワイヤレスデバイス２０２のユーザに情報を伝え、および／またはユーザからの入力を受信する、任意の要素または構成要素を含む場合がある。
【００９４】
[00121]ワイヤレスデバイス２０２は、選択的クリアチャネルアセスメント（ＣＣＡ）モジュール２２８をさらに備える場合がある。選択的ＣＣＡモジュールは、１つまたは複数のパラメータに基づいて、ワイヤレスデバイス２０２向けのクリアチャネルアセスメントを実行する任意の要素または構成要素であり売る。パラメータには、送信電力、送信帯域幅、パケット検出しきい値、および／またはエネルギー検出しきい値が含まれ得る。
【００９５】
[00122]ワイヤレスデバイス２０２の様々な構成要素は、筐体２０８内に収納される場合がある。さらに、ワイヤレスデバイス２０２の様々な構成要素は、バスシステム２２６によって互いに結合される場合がある。バスシステム２２６は、たとえば、データバス、ならびに、データバスに加えて、電力バスと、制御信号バスと、ステータス信号バスとを含む場合がある。ワイヤレスデバイス２０２の構成要素は、他の何らかの機構を使用して、一緒に結合され得るか、または互いに対する入力を受け入れ、もしくは提供できることを、当業者なら諒解されよう。
【００９６】
[00123]いくつかの別個の構成要素が図２に示されているが、構成要素のうちの１つまたは複数が組み合わされるか、または共通に実装される場合があることを、当業者なら認識されよう。たとえば、プロセッサ２０４は、プロセッサ２０４に関して上述された機能を実装するためだけでなく、信号検出器２１８および／またはＤＳＰ２２０に関して上述された機能を実装するためにも使用される場合がある。さらに、図２に示された構成要素の各々は、複数の別個の要素を使用して実装される場合がある。
【００９７】
[00124]ＩＥＥＥ８０２．１１ａｈプロトコルに指定されたワイヤレス通信などのいくつかのワイヤレス通信では、サブギガヘルツ帯域が使用され得る。この帯域は、同じ送信電力で他の高い帯域よりも長いレンジを有することができる。たとえば、これらの帯域は、ＩＥＥＥ８０２．１１ｎにおいて使用される２．４ＧＨｚまたは５ＧＨｚの帯域のほぼ２倍のレンジを有することができる。このより長いレンジにより、デバイスがより大きい距離から通信することが可能になり得る。しかしながら、ビジーエリアでは、このより長いレンジはまた、任意の個別のデバイスが多数の他のデバイスからの送信を聴取することを意味し得る。これにより、デバイスがそれらの他の送信に譲歩しなければならない、媒体にアクセスすることができない問題が発生する可能性がある。たとえば、デバイスは、送信より前に媒体をチェックすることができ、デバイスがかなり長いレンジを有する場合、媒体がビジーであることを見いだす可能性がはるかに高い場合がある。この問題に対する１つの考えられる解決策は、デバイスによって使用されるＣＣＡしきい値を上げることである。これにより、デバイスが遠方のデバイスに敏感ではなくなり、他のデバイスに譲歩することがより少なくなる場合がある。しかしながら、ＣＣＡしきい値を上げることに伴う１つの問題は、低帯域幅デバイスおよび低電力デバイスの送信が上げられたＣＣＡしきい値を超えるのに十分なエネルギーレベルの送信ではない場合があるので、低帯域幅デバイスおよび低電力デバイスがそれらの送信に対する完全な保護を受けない可能性があることである。たとえば、いくつかのセンサは、電力使用量を最小化するために低電力の送信機を使用する場合がある。これらのセンサは、ＩＥＥＥ８０２．１１ａｈについての重要な使用事例であり得る。これらのセンサは、１または２ＭＨｚの帯域幅を使用し、電力増幅器（ＰＡ）をもたない場合がある。これらのデバイスは、上げられたＣＣＡしきい値が使用されているとき、それらの送信に対する完全な保護を受けない可能性がある。
【００９８】
[00125]上げられたＣＣＡしきい値の恩恵をさらに得ながら、これらの低電力および／または低帯域幅の送信を実現するために、スペクトルが２つ以上のタイプのチャネルに分割され得るし、様々なＣＣＡしきい値が２つ以上のタイプのチャネルの各々に関連付けられる。たとえば、図３は、ＩＥＥＥ８０２．１１ａｈスペクトルを２つのタイプのチャネルに分割する１つの例示的な方法の図示であり、様々なＣＣＡしきい値が２つのタイプのチャネルに関連付けられる。図３において、ＩＥＥＥ８０２．１１ａｈに使用される２６ＭＨｚのスペクトルは、２つのタイプである、タイプ１のスペクトル３０５およびタイプ２のスペクトル３１０に分割されている。
【００９９】
[00126]タイプ２のスペクトル３１０内のチャネルは、タイプ１のスペクトル３０５内のチャネルよりも高いＣＣＡしきい値を有する場合がある。たとえば、タイプ２のスペクトル３１０内のチャネルは、タイプ１のスペクトル３０５内のチャネルよりも１ｄＢ、４ｄＢ、１０ｄＢ、１２ｄＢ、１５ｄＢ、または他の何らかの量だけ高いＣＣＡしきい値を有する場合がある。より高いＣＣＡしきい値を使用すると、スペクトルのこの部分を使用することを望むデバイスがそのスペクトルがすでに使用されていると決定するであろう時間の割合を低減させることができるので、そのようなデバイスがこれらの周波数を使用することができる頻度を上げることができる。
【０１００】
[00127]同様に、より低いＣＣＡしきい値を有する他のチャネルが提供される場合がある。これらのチャネルは低電力および／または低帯域幅のデバイスに恩恵を与えることができ、これらのチャネル上のより低いＣＣＡしきい値は、より高いＣＣＡしきい値のチャネルに譲歩するよりも広いエリア内の多くのデバイスが、これらの低電力デバイスの送信に譲歩することを意味し得るので、これらのデバイスは、より低いＣＣＡしきい値のチャネル内のそれらの送信に対するより完全な保護を受けることができる。いくつかの態様では、より高い帯域幅のデバイスは、高いＣＣＡしきい値のチャネルを選ぶように構成される場合がある。たとえば、より高い帯域幅のデバイスは、デフォルトで送信用のより高いＣＣＡのチャネルを選択する場合がある。より低い帯域幅のデバイスは、デフォルトでより低いＣＣＡしきい値のチャネルを利用する場合がある。
【０１０１】
[00128]図３のチャネルの分割は、スペクトルを分割する方法の一例にすぎない。この分割は、スペクトルの他の部分で行われる場合もあり、他の方式で行われる場合がある。たとえば、３つ以上のチャネルが使用される場合がある。図３に示された分割は、スペクトルのいくつかの部分について、スペクトルのこの部分内に含まれる単一の１６ＭＨｚチャネルがより高いＣＣＡしきい値を使用することを可能にすることができるので、有益であり得る。これは、タイプ２のスペクトル３１０のチャネル内のより高いＣＣＡしきい値により、これらのデバイスがこのチャネルにより頻繁に、チャネルが使用されていることが分かったときはより少ない回数でアクセスすることが可能になるように、携帯電話などのより高い帯域幅のデバイスが１６ＭＨｚチャネルをより頻繁に使用することを可能にすることができるので、有益であり得る。図３のチャネルの分割は、単一の１６ＭＨｚチャネルなどの個別のチャネルがタイプ１とタイプ２の両方の部分を含んでいないことを実現するが、単一のチャネルがより高いＣＣＡしきい値のチャネルである部分とより低いＣＣＡしきい値のチャネルである部分とを含むことができる場合、他の分割が使用される場合がある。たとえば、ＣＣＡしきい値は、２ＭＨｚチャネルの１番目の１ＭＨｚがより高いＣＣＡしきい値を有するタイプ２のチャネルであり、２ＭＨｚチャネルの２番目の２ＭＨｚがより低いＣＣＡしきい値を有するタイプ１のチャネルであるように設定される場合がある。
【０１０２】
[00129]いくつかの態様では、タイプ２のチャネルなどのより高いＣＣＡしきい値のチャネル用のＣＣＡしきい値レベルは、タイプ１のチャネルのＣＣＡしきい値レベルから導出される場合がある。たとえば、タイプ２のチャネルのＣＣＡしきい値レベルは、タイプ１のチャネルのＣＣＡしきい値レベルプラス何らかの保護因子であり得る。いくつかの態様では、保護因子はデシベルで表現される場合がある。この保護因子は、たとえば、１ｄＢ、４ｄＢ、１０ｄＢ、１２ｄＢ、１５ｄＢ、または他の何らかのｄＢレベルであり得る。いくつかの態様では、保護因子は１ｄＢと１５ｄＢとの間であり得る。この保護因子は、チャネル用のＣＣＡしきい値の各々に適用され得る。
【０１０３】
[00130]たとえば、チャネルは３つの異なるＣＣＡしきい値を有する場合がある。チャネルは、エネルギー検出用のより高いＣＣＡしきい値と、ガード間隔（ＧＩ）検出用のより低いＣＣＡしきい値レベルと、信号検出のさらに低いＣＣＡしきい値レベルとを有する場合がある。いくつかの態様では、タイプ１のチャネルのこれらのＣＣＡしきい値レベルの各々は、タイプ２のチャネル内の保護因子によって上げられる場合がある。いくつかの態様では、レベルごとの保護因子は、ＣＣＡしきい値の各々について同じであり得るか、または異なる場合がある。いくつかの態様では、使用される保護因子は、様々な帯域幅のチャネルについて異なる場合がある。たとえば、８ＭＨｚチャネルは、１６ＭＨｚチャネルとは異なるＣＣＡしきい値と異なる保護因子とを使用する場合がある。
【０１０４】
[00131]いくつかの態様では、図３は、米国内などの、いくつかの領域においてＩＥＥＥ８０１．１１ａｈネットワーク向けの考えられるチャネライゼーションを表すことができる。このチャネライゼーションは、様々なＣＣＡレベルの領域をまたぐチャネルが存在しないので、有益であり得る。このチャネライゼーションの別の恩恵は、高いデータレートのデバイス向けに１６ＭＨｚのタイプ２のチャネルが提供されることであり得る。２つのタイプ１のチャネルエリアが周波数で分離されることも有益であり得るし、センサが干渉を回避する助けになり得る。いくつかの態様では、他のチャネライゼーションが使用される場合がある。たとえば、他の領域において他のチャネライゼーションが使用される場合がある。
【０１０５】
[00132]図４Ａは、８０２．１１ａｈワイヤレスネットワークの一実装形態において、クリアチャネルアセスメントがどのように実行されるかを示すフローチャートである。プロセス４００は、いくつかの態様では、ワイヤレスデバイス２０２によって実行される場合がある。たとえば、プロセッサ２０４および受信機２１２のうちの１つまたは複数は、プロセス４００の機能を実行することができる。
【０１０６】
[00133]プロセス４００は、１次チャネル上で受信された入力信号から始まる。いくつかの態様では、１次チャネルは２０Ｍｈｚの帯域幅を有するチャネルであり得る。ブロック４１０は、１次チャネル用のクリアチャネルアセスメントの感度しきい値が満たされたかどうかを決定する。しきい値が満たされた場合、ブロック４２５において、１次チャネルについてのチャネル状態がビジーに設定される。しきい値が満たされなかった場合、ブロック４２０において、ＣＣＡ指示がアイドルに設定される。
【０１０７】
[00134]図４Ｂは、８０２．１１ａｈワイヤレスネットワークの一実装形態において、クリアチャネルアセスメントがどのように実行されるかを示すフローチャートである。プロセス４０２は、いくつかの態様では、ワイヤレスデバイス２０２によって実行される場合がある。たとえば、プロセッサ２０４および受信機２１２のうちの１つまたは複数は、プロセス４０２の機能を実行することができる。
【０１０８】
[00135]プロセス４０２は、非１次２０Ｍｈｚチャネル上で受信された入力信号から始まる。プロセス４０２内で参照される非１次チャネルは、もちろん、プロセス４００内で参照される１次チャネルとは異なる場合がある。決定ブロック４１５は、非１次チャネル用のクリアチャネルアセスメント（ＣＣＡ）の感度しきい値が満たされたかどうかを評価する。しきい値が満たされた場合、ブロック４３０において、２次チャネルについてのＣＣＡ指示がビジーに設定される。非１次チャネル用のしきい値が満たされなかった場合、ブロック４３５において、ＣＣＡ指示がアイドルに設定される。いくつかの実装形態では、プロセス４００およびプロセス４０２は一緒に使用される場合がある。たとえば、いくつかの実装形態は、最初に、入力信号が１次２０Ｍｈｚチャネルを使用しているか、非１次２０Ｍｈｚチャネルを使用しているかを決定することができる。次いで、これらの実装形態は、１次２０Ｍｈｚチャネルの受信の場合プロセス４００を、非１次２０Ｍｈｚの受信の場合プロセス４０２を利用することができる。
【０１０９】
[00136]図５は、１次チャネルのクリアチャネルアセスメントの１つの例示的な実装形態を示すフローチャートである。一態様では、示された１次チャネルは２０Ｍｈｚチャネルであり得る。いくつかの態様では、ワイヤレスデバイス２０２はプロセス５００を実行することができる。たとえば、プロセス５００は、いくつかの態様では、プロセッサ２０４および／または受信機２１２のうちの１つまたは複数によって実行される場合がある。いくつかの態様では、プロセス５００は、プロセス４００のブロック４１０によって実行される場合がある。
【０１１０】
[00137]プロセス５００は、開始ブロック５０２において開始し、次いで決定ブロック５０５に進む。決定ブロック５０５は、入力信号の信号強度がしきい値よりも大きいかどうかを決定する。いくつかの態様では、しきい値は−６２ｄＢｍであり得る。プロセス５００の他の態様は、異なる信号強度のしきい値を使用する場合がある。信号がしきい値と少なくとも同じ大きさである場合、ブロック５１０において、１次チャネルについて、クリアチャネルアセスメント（ＣＣＡ）指示がビジーに設定される。信号強度がしきい値よりも小さい場合、決定ブロック５１５は、表５３０の条件が満たされるかどうかを決定する。それらが満たされた場合、１次チャネルについてのＣＣＡ指示がビジーに設定される。表５３０に要約された条件が満たされなかった場合、ブロック５２５において、ＣＣＡ指示がアイドルに設定される。図５において開示された表は、８０２．１１ａｃの一実装形態の場合のしきい値をデシベルで提供することに留意されたい。８０２．１１ａｈの実装形態または他の実装形態は、すべて一緒に、本明細書に開示されたシステム、装置、および方法の趣旨から逸脱することなく、開示されたしきい値とは異なるしきい値を利用する場合がある。
【０１１１】
[00138]図６Ａは、２次チャネルのクリアチャネルアセスメントの一実装形態を示すフローチャートである。プロセス６００は、チャネルがアイドルかビジーかを決定するために、異なる１次チャネルまたは２次チャネルに対応する異なる感度しきい値を利用する。図６Ａ〜図６Ｂは特定のしきい値の使用を示すが、これらは例示的であるにすぎず、様々な実装形態が図６Ａ〜図６Ｂに示された特定のしきい値とは異なる場合がある。
【０１１２】
[00139]たとえば、２０Ｍｈｚの２次チャネルは、−６２ｄＢＭの感度しきい値または他の何らかのしきい値を利用する場合がある。４０Ｍｈｚの２次チャネルは−５９ｄＢｍの感度しきい値を利用する場合があり、８０Ｍｈｚの２次チャネルは−５６ｄＢｍの感度しきい値を利用する場合がある。２次チャネルのうちの１つまたは複数がビジーであるかどうかを決定するとき、周波数レンジ内のエネルギーが、その周波数レンジに対応する対応するエネルギーしきい値と比較される。いくつかの態様では、プロセス６００は、ワイヤレスデバイス２０２によって実行される場合がある。たとえば、受信機２１２および／またはプロセッサ２０４のうちの１つまたは複数は、プロセス６００を実行することができる。
【０１１３】
[00140]ブロック６０５が入力信号を受信する。ブロック６０５はさらに、１次チャネルについてのＣＣＡしきい値が入力信号によって満たされるかどうかを決定する。信号がＣＣＡしきい値を上回る場合、ブロック６１０が１次チャネルの状態をビジーに設定する。そうでない場合、ブロック６１５、６２０、および６２５の各々が、入力信号の周波数を決定する。決定ブロック６１５では、信号が２次２０ＭＨｚレンジ内にある場合、信号は第１のしきい値、たとえばブロック６１５によって示された−６２ｄＢｍと比較される。
【０１１４】
[00141]信号が２次２０Ｍｈｚチャネル内にあり、第１のしきい値よりも大きい場合、ブロック６３０は２０Ｍｈｚの２次チャネルの指示をビジーに設定する。そうでない場合、プロセス６００は図６Ｂに示されたオフページ参照「Ａ」に進む。図６Ｂにおいて、参照「Ａ」は決定ブロック６３５に入る。図６Ｂのブロック６３５は、信号が高スループット（ＨＴ）、高スループット混合フォーマット（ＨＴＭＦ）、高スループットグリーンフィールドフォーマット（ＨＴＧＦ）、または超高スループット（ＶＨＴ）の信号であるかどうかを決定する。そうであり、信号が−７２ｄＢｍなどの第２のしきい値以上である場合、ブロック６７０において、２０Ｍｈｚの２次チャネルの指示がビジーに設定される。そうでない場合、ブロック６７２において、２０Ｍｈｚの２次チャネルの指示がアイドルに設定される。いくつかの態様では、たとえば、プロセス６００が始まる前にＣＣＡ指示がアイドルに初期化されている場合、ブロック６７２は実行されない場合がある。
【０１１５】
[00142]図６Ａを参照すると、ブロック６２０は、入力信号が２次４０Ｍｈｚチャネル内にあり、信号が第３のしきい値、示された例では−５９ｄＢｍよりも大きいかどうかを決定する。そうである場合、ブロック６４０において、４０Ｍｈｚの２次チャネルの指示がビジーに設定される。そうでない場合、プロセス６００は、オフページ参照「Ｂ」を介して、図６Ｂのブロック６５０および６５５に進む。ブロック６５０は、入力信号が４０Ｍｈｚの２次チャネル内にあり、−７２ｄＢｍなどの第４のしきい値以上である、非高スループット、高スループット混合フォーマット（ＨＴＭＦ）、高スループットグリーンフィールドフォーマット（ＨＴＧＦ）、または超高スループットの信号であるかどうかを決定する。そうである場合、ブロック６７５において、２次４０Ｍｈｚチャネルの指示がビジーに設定される。決定ブロック６５５は、入力信号が２０Ｍｈｚの２次チャネル内にあり、図示された実施形態内の−７２ｄＢｍなどの第５のしきい値より大きい、非高スループット、高スループット混合フォーマット、高スループットグリーンフィールドフォーマット、または超高スループットの信号であるかどうかを決定する。そうである場合、ブロック６７５において、２次４０Ｍｈｚチャネルの指示がビジーに設定される。ブロック６５０または６５５において決定された条件のいずれも満たされなかった場合、いくつかの態様では、ブロック６７８において、２次４０Ｍｈｚチャネルの指示がアイドルに設定される。前に説明された理由により、いくつかの態様では、ブロック６７８は実行されない。
【０１１６】
[00143]図６Ａを参照すると、ブロック６２５が、入力信号が２次８０Ｍｈｚチャネル内にあり、信号が第６のしきい値、示された例では−５６ｄＢｍ以上であると決定した場合、ブロック６４５において、８０Ｍｈｚの２次チャネルの指示がビジーに設定される。そうでない場合、オフページ参照「Ｃ」を経由して図６Ｂのブロック６６０および６６５において、２つの条件がチェックされる。
【０１１７】
[00144]ブロック６６０は、入力信号が、第７のしきい値、図示された態様では−６９Ｍｈｚを上回る、８０Ｍｈｚの非高スループットまたは超高スループットの信号を含むかどうかを決定する。そうである場合、ブロック６８０において、２次８０Ｍｈｚチャネルの指示がビジーに設定される。ブロック６６５は、２０Ｍｈｚまたは４０Ｍｈｚの信号が、高スループット、高スループット混合フォーマット、高スループットグリーンフィールドフォーマット、または超高スループットフォーマットにおける入力信号内に存在するかどうかと、信号が第８のしきい値、図示された例では−７２ｄＢｍを上回るかどうかとを決定する。そうである場合、ブロック６８０において、８０Ｍｈｚの２次チャネルの指示がビジーに設定される。ブロック６６０または６６５において評価された条件のいずれも真でない場合、プロセス６００のいくつかの態様では、ブロック６８２において、２次８０Ｍｈｚチャネルの指示がアイドルに設定される。前に説明された理由により、いくつかの態様では、ブロック６８２は実行されない。
【０１１８】
[00145]プロセス６００は、１次２０Ｍｈｚチャネル、２０Ｍｈｚの２次チャネル、４０Ｍｈｚの２次チャネル、および／または８０Ｍｈｚの２次チャネルの１つまたは複数がアイドルかビジーかを決定するために、いくつかの実装形態によって利用される場合がある。これらの実装形態は、指示上のこれらのチャネルを介する１つまたは複数のメッセージの送信を条件づけることができる。たとえば、いくつかの態様では、１次チャネルがアイドルである場合、一実装形態は、１つまたは複数の２次チャネルがアイドルであるかどうかを決定することができる。次いで、メッセージの送信がこれらの決定に基づく場合がある。たとえば、メッセージは、利用可能な最も高い２次チャネル帯域幅上で送信される場合がある。これらの実装形態のいくつかの詳細が以下でさらに説明される。
【０１１９】
[00146]図６は、８０２．１１ａｃの一実装形態用の例示的なしきい値を開示することに留意されたい。８０２．１１ａｈの実装形態または他の非８０２．１１の実装形態は、本明細書に開示されたシステム、装置、および方法の趣旨から逸脱することなく、開示されたしきい値とは異なるしきい値を利用する場合がある。
【０１２０】
[00147]図７Ａは、等しい送信電力を有する２つのワイヤレスデバイス間のクリアチャネルアセスメントの延期を示す。クリアチャネルアセスメント（ＣＣＡ）の１つの目的は、別のデバイスが送信している間に、あるデバイスが送信を開始しないように防止することである。これは、すでに進行中の送信と開始される送信との間の潜在的な衝突から他のデバイスを保護する。これはまた、ワイヤレス媒体上のいかなる送信も送信デバイス自体に向けられる場合があるので、そのデバイス自体を保護する。
【０１２１】
[00148]多くのワイヤレス規格は、規格に準拠するデバイスが適用するべきＣＣＡしきい値を定義する。これらの規格は、特定のチャネルを利用するすべてのデバイスについて送信電力が同じであるという仮定の下で動作する。たとえば、規格は、同じ送信電力を使用するデバイスによってのみ２０ＭＨｚのみのネットワークが利用されると仮定し、したがって、デバイス間の競合が公平に解決されると仮定する。そのような公平な競合方式が図７Ａに示される。図７Ａに示されたように、デバイス１とデバイス２の両方は、２０ｄＢｍの例示的な電力レベルを用いて送信している。各デバイスは、−８２ｄＢｍの例示的なクリアチャネルアセスメントしきい値を利用している。したがって、各デバイスは、第２のデバイスの送信された電力が第１のデバイスでのＣＣＡレベルを上回るかどうかに応じて、延期する場合もあり、しない場合もある。
【０１２２】
[00149]図７Ｂは、２つの異なる送信電力を利用する２つのワイヤレスデバイス間のクリアチャネルアセスメントの延期を示す。デバイス１は０ｄＢｍの例示的な送信電力を用いて送信しており、デバイス２は２０ｄＢｍの例示的な送信電力を用いて送信している。デバイス２で受信されたときのデバイス１の信号の強度が、デバイス２で利用されるＣＣＡしきい値を下回るので、デバイス２は、デバイス１が送信しているとき延期しない。デバイス２の送信は、より高い送信電力で送信されるので、デバイス１によって利用される−８２ｄＢｍの例示的なＣＣＡしきい値を上回る。したがって、デバイス１はデバイス２に譲歩する。デバイス２がデバイス１に譲歩するよりも容易に、デバイス１はデバイス２に譲歩するので、図７Ｂに示されたクリアチャネルアセスメント手順はデバイス１に不公平であると考えることができる。
【０１２３】
[00150]図７Ｃは、異なる送信帯域幅を利用する２つのワイヤレスデバイス間のクリアチャネルアセスメントの延期を示す。図示されたように、デバイス１は、８０Ｍｈｚ帯域幅にわたって２０ｄＢｍの例示的な送信電力を用いて送信している。デバイス２は、より小さい２０Ｍｈｚ帯域幅にわたって２０ｄＢｍの例示的な送信電力を用いて送信している。デバイス２の例示的な２０ｄＢｍの送信電力は２０ＭＨｚの帯域幅内に「集中」されているのに対して、デバイス１の２０ｄＢｍの送信電力は８０Ｍｈｚ帯域幅にわたって「分散」されているので、デバイス１による送信は、−８２ｄＢｍのデバイス２のＣＣＡしきい値を下回る場合がある。しかしながら、デバイス２の２０ｄＢｍの送信電力は上述されたように「集中」されているので、デバイス２による送信は、−８２ｄＢｍのそのＣＣＡしきい値を上回るレベルでデバイス１によって受信され得る。したがって、いくつかの態様では、デバイス２がデバイス１に譲歩するよりも容易に、デバイス１はデバイス２の送信に譲歩する場合がある。したがって、図７Ｃに示されたＣＣＡ延期手順は、不公平であると考えることができる。
【０１２４】
[00151]図８Ａは、ワイヤレスネットワーク上の送信電力ベースのクリアチャネルアセスメント用のプロセスのフローチャートである。いくつかの態様では、プロセス８００は、図２に示されたデバイス２０２によって実行される場合がある。図８は、等しくない送信電力のデバイス間のより公平な延期手順をもたらすことができるプロセスを記載する。たとえば、図８およびプロセス８００は、送信電力レベルに基づくバックオフ手順の使用を記載する。いくつかの態様では、より強い送信電力を有するデバイスは、より低い送信電力レベルを有するデバイスよりも長い時間期間の間延期することができる。
【０１２５】
[00152]ブロック８１０において、第１のワイヤレスメッセージの送信電力に基づいて、第１のバックオフ手順が実施される。いくつかの態様では、開示された方法とシステムとを利用するワイヤレス通信規格は、計画された送信帯域幅用の１つまたは複数の基準送信電力と、対応する基準エネルギー検出しきい値とを定義することができる。ワイヤレス通信規格はさらに、計画された送信帯域幅用の１つまたは複数の基準送信電力に対応する、パケット検出帯域幅および／またはパケット検出エネルギーしきい値を定義することができる。ワイヤレス規格はさらに、対応するエネルギー検出しきい値および／またはパケット検出エネルギーしきい値における変化に、基準送信電力からの変動がどのように対応するかを定義することができる。たとえば、所与の送信帯域幅用の基準送信電力Ｐが、Ｘのエネルギー検出しきい値に対応する場合、ワイヤレス通信規格はさらに、基準送信電力ＰよりもＸｄＢｍ低い送信電力の使用が、基準送信電力Ｐ用の基準エネルギー検出しきい値よりもＹｄＢｍまで高い対応するエネルギー検出しきい値の使用を可能にすることを定義することができる。ブロック８１０のいくつかの態様では、第１のバックオフ手順が、第１のワイヤレスメッセージの送信帯域幅に基づく場合もある。
【０１２６】
[00153]いくつかの態様では、基準電力よりも低い送信電力を利用するデバイスは、送信チャネルの利用可能性を決定するときに、（たとえば、基準エネルギーしきい値よりも）高いエネルギー検出しきい値および／またはパケット検出エネルギーしきい値を利用することができる。比較的低い送信電力デバイスが、より高いエネルギー検出しきい値および／またはパケット検出しきい値を利用すると、これらのデバイスがより高い送信電力で動作しているデバイスを含むワイヤレス媒体上で動作するとき、延期またはクリアチャネルアセスメント決定における公平性を容易にすることができる。
【０１２７】
[00154]図７Ａ〜図７Ｃに関して前に説明されたように、クリアチャネルアセスメントのいくつかの方法は、より低い送信電力で動作しているデバイスがより高い送信電力で動作しているデバイスに譲歩する場合があるという点で、異なる送信電力で動作している２つのデバイス間の不公平な媒体割振りをもたらす場合がある。送信電力に基づいて感度／検出のしきい値を調整することによって、開示された方法は、比較的低い電力のデバイスがワイヤレスネットワークへのそれらの送信注入を干渉レベルに比例するレベルで延期することを可能にし、デバイス間のワイヤレス媒体のより公平な割振りをもたらす。
【０１２８】
[00155]ブロック８１５において、第１のバックオフ手順の完了に応答して、ワイヤレスメッセージが送信される。ワイヤレスメッセージは、少なくとも送信電力レベルに基づいて送信される。いくつかの態様では、ワイヤレスメッセージは送信電力レベルで送信される。
【０１２９】
[00156]プロセス８００のいくつかの態様は、イベントに応答して実行される場合がある。たとえば、いくつかの態様では、ワイヤレスメッセージがワイヤレスネットワーク上の送信の準備ができているという決定が行われる。いくつかの態様では、ワイヤレスメッセージは、アプリケーションプログラムにより、ネットワークまたはプロセス８００を実行するデバイス内のトランスポートレイヤにバッファリングされる場合がある。これらの態様では、プロセス８００は、（ブロック８１０において記載された第１のワイヤレスメッセージなどの）メッセージが送信の準備ができているという決定に応答して、実行される場合がある。
【０１３０】
[00157]プロセス８００のいくつかの他の態様では、異なるイベントが発生すると決定される場合がある。たとえば、プロセス８００のいくつかの態様は、ワイヤレスメッセージが送信される準備ができる前に、（ブロック８１０に関して上記で説明されたような）第１のバックオフ手順を先制して実行することができる。たとえば、プロセス８００は、第１のメッセージの送信後だが、第２のメッセージがバッファリングされるか、または送信される準備ができる前に、実行される場合がある。これらの態様では、第１のバックオフ手順の開始後、および／または第１のバックオフ手順の間にメッセージがバッファリングされた場合、次いでバックオフ手順が完了したときに、メッセージがさらに送信される場合がある。いくつかの実装形態は、バックオフ手順を、送信用のワイヤレスメッセージを準備するために必要な他の処理と並列化することができる。
【０１３１】
[00158]図８Ｂは、図２のワイヤレス通信デバイス２０２内で採用され得る機能ブロック図である。ワイヤレス通信装置が図８Ｂに示された簡略化されたワイヤレス通信装置８５０よりも多くの構成要素を有する場合があることを当業者は諒解されよう。図示されたワイヤレス通信装置８５０は、特許請求の範囲内の実装形態のいくつかの顕著な特徴を記載するために有用なそれらの構成要素のみを含む。ワイヤレス通信装置８５０は、送信電力ベースのクリアチャネルアセスメント回路８６０と、送信回路８６５とを含む場合がある。
【０１３２】
[00159]いくつかの実装形態では、送信電力ベースのクリアチャネルアセスメント回路８６０は、ブロック８１０に関して上記で説明された機能のうちの１つまたは複数を実行するように構成される場合がある。送信電力ベースのクリアチャネルアセスメント回路８６０は、プログラマブルチップ、プロセッサ、メモリ、およびネットワークインターフェースのうちの１つまたは複数を含む場合がある。たとえば、送信電力ベースのクリアチャネルアセスメント回路８６０は、プロセッサ２０４または選択的ＣＣＡ回路２２８を含む場合がある。いくつかの実装形態では、送信電力に基づいてバックオフ手順を実施するための手段は、送信電力ベースのクリアチャネルアセスメント回路８６０を含む場合がある。
【０１３３】
[00160]いくつかの実装形態では、送信回路８６５は、ブロック８１５に関して上記で説明された機能のうちの１つまたは複数を実行するように構成される場合がある。送信回路８６５は、プログラマブルチップ、プロセッサ、メモリ、およびネットワークインターフェースのうちの１つまたは複数を含む場合がある。たとえば、送信回路８６５は、送信機２１０またはプロセッサ２０４を含む場合がある。いくつかの実装形態では、送信電力に基づいて送信するための手段は、送信回路８６５を含む場合がある。
【０１３４】
[00161]図９Ａは、クリアチャネルアセスメントの方法の一実装形態のフローチャートである。一態様では、プロセス９００は図２のワイヤレスデバイス２０２によって実行される場合がある。いくつかの態様では、プロセス９００は、図８Ａのブロック８１０によって実行される場合がある。他の態様では、プロセス９００は、必ずしも送信電力に基づくとは限らないクリアチャネルアセスメントプロセスの一部として実行される場合がある。
【０１３５】
[00162]ブロック９０５において、クリアチャネルアセスメントのバックオフカウンタが初期化される。ブロック９１０において、少なくとも第１のエネルギーしきい値に基づいて、ワイヤレス媒体が利用可能であるかどうかに関する決定が行われる。たとえば、ブロック９１０は、特定の帯域幅内の媒体上のエネルギーがエネルギーしきい値を上回るかどうかを決定することができる。エネルギーがエネルギーしきい値を上回る場合、媒体はビジーであるか、または利用可能でないと決定され得る。媒体上のエネルギーがエネルギーしきい値を下回る場合、媒体は利用可能であると考えることができる。
【０１３６】
[00163]いくつかの態様では、媒体が利用可能であるかどうかを決定することは、媒体上の１つまたは複数のＷｉ−Ｆｉパケットの検出をさらに含む場合がある。これらの態様では、１つまたは複数のＷｉ−Ｆｉパケットが媒体上で検出された場合、媒体は利用不可であると決定され得る。いくつかの態様では、媒体は、ワイヤレス媒体の特定の帯域幅を表す場合がある。たとえば、ブロック９１０は、ワイヤレス媒体の特定の周波数帯域幅が利用可能であるかどうかのみを決定することができる。これらの態様では、ブロック９１０は、１Ｍｈｚ、２Ｍｈｚ、４Ｍｈｚ、８Ｍｈｚ、１６Ｍｚ、２０Ｍｈｚ、４０Ｍｈｚ、８０Ｍｈｚの周波数帯域のうちの１つまたは複数が送信に利用可能であるかどうかを決定することができる。
【０１３７】
[00164]いくつかの態様では、ブロック９１０は、第１の送信帯域幅に基づいて、媒体が利用可能であるかどうかを決定することができる。第１の送信帯域幅は、ブロック９１０によって利用される１つまたは複数の利用可能性検出パラメータに関連付けられる場合がある。たとえば、利用可能性検出パラメータには、上記で説明されたように、エネルギー検出しきい値、および／またはパケット検出帯域幅、および／またはパケット検出エネルギーしきい値が含まれ得る。いくつかの態様では、ブロック９１０は、媒体が利用可能であるかどうかを決定する際に、図６のプロセス６００において開示された決定のうちの１つまたは複数を採用することができる。
【０１３８】
[00165]決定ブロック９１５は、少なくともブロック９１０において行われた決定に基づいて、媒体が利用可能であるかどうかを決定する。媒体が利用可能である場合、ブロック９２０はバックオフカウンタを調整する。バックオフカウンタを調整することは、バックオフカウンタを「決定」すること、またはバックオフプロセス終了値に向けてバックオフカウンタを調整することを含む場合がある。媒体が利用可能でない場合、プロセス９００は、媒体の利用可能性が再び決定されるブロック９１０に戻る。
【０１３９】
[00166]ブロック９２５において、プロセス９００はある時間期間の間待機する。いくつかの態様では、ブロック９２５は実行されない。ブロック９３０は、バックオフカウンタがしきい値に達したかどうかを決定する。バックオフカウンタがしきい値に達していない場合、プロセス９００はブロック９１０に戻る。バックオフカウンタがしきい値に達した場合、ブロック９３５は、少なくとも第２のエネルギーしきい値に基づいて、媒体が利用可能であるかどうかを決定する。
【０１４０】
[00167]いくつかの態様では、ブロック９３５は、特定の帯域幅内の媒体上に存在するエネルギー量を測定することができる。ワイヤレス通信規格は、第２のエネルギーしきい値と特定の帯域幅との間の対応関係を確立することができる。媒体が利用可能であるかどうかを決定するために、ブロック９３５は、特定の帯域幅内のエネルギーを第２のエネルギーしきい値と比較することができる。存在するエネルギーが第２のエネルギーしきい値を上回る場合、媒体は利用不可であると決定され得るのに対して、存在するエネルギーが第２のエネルギーしきい値を下回る場合、媒体は利用可能であると決定され得る。上記で説明されたように、媒体が利用可能であるかどうかの決定は、１つまたは複数のＷｉ−Ｆｉパケットが媒体上で検出されるかどうかを決定することをさらに備える場合がある。いくつかの態様では、検出は、上記で説明されたような特定の周波数レンジ内で動作する。１つまたは複数のＷｉ−Ｆｉパケットが検出周波数レンジ内で検出された場合、媒体は利用不可であると決定され得る。いくつかの態様では、ブロック９３５は、第２の送信帯域幅に基づいて、媒体が利用可能であるかどうかを決定することができる。第２の送信帯域幅は、ブロック９３５によって利用される１つまたは複数の第２の利用可能性検出パラメータに関連付けられる場合がある。たとえば、第２の利用可能性検出パラメータには、上記で説明されたように、第２のエネルギー検出しきい値、および／または第２のパケット検出帯域幅、および／または第２のパケット検出エネルギーしきい値が含まれ得る。ブロック９３５は、決定を行う際に、図６のプロセス６００に関して開示された決定／条件のうちの１つまたは複数を利用することができる。
【０１４１】
[00168]媒体が利用可能であると決定された場合、ブロック９４５において、第２のエネルギーしきい値に対応する帯域幅でメッセージが送信される。
【０１４２】
[00169]そうでない場合、プロセス９００は、バックオフカウンタが再初期化されるブロック９０５に戻る。これは、少なくとも第２のエネルギーしきい値に基づいて媒体が利用不可であると決定された場合、第１のエネルギーしきい値に対応する送信帯域幅上で送信することができる他の方法と対照的である。たとえば、いくつかの他の方法では、バックオフ手順は、１次チャネルに対応するエネルギーしきい値に基づいて実施される場合がある。バックオフ手順が完了すると、デバイスは、１つまたは複数の２次チャネルが送信に利用可能であるかどうかをチェックすることができる。これらの２次チャネルの利用可能性をチェックすることは、バックオフ手順を実施するために使用されるエネルギーしきい値とは異なる１つまたは複数のエネルギーしきい値に基づく場合がある。２次チャネルが利用可能でない場合、これらの他の方法を利用するデバイスは、１次チャネル上で送信することができる。しかしながら、プロセス９００の開示された方法では、さらなるバックオフ手順が実施される。これにより、他の方法に比べて、衝突および関連する再送信の数が低減され得る。
【０１４３】
[00170]図９Ｂは、図２のワイヤレス通信デバイス２０２内で採用され得る機能ブロック図である。ワイヤレス通信装置が図９Ｂに示された簡略化されたワイヤレス通信装置９５０よりも多くの構成要素を有する場合があることを当業者は諒解されよう。図示されたワイヤレス通信装置９５０は、特許請求の範囲内の実装形態のいくつかの顕著な特徴を記載するために有用なそれらの構成要素のみを含む。ワイヤレス通信装置９５０は、送信電力ベースのクリアチャネルアセスメント回路９５５と、チャネル利用可能性回路９６０と、可変電力送信回路９７０とを含む場合がある。
【０１４４】
[00171]いくつかの実装形態では、送信電力ベースのクリアチャネルアセスメント回路９５５は、ブロック９１０〜９１５に関して上記で説明された機能のうちの１つまたは複数を実行するように構成される場合がある。送信電力ベースのクリアチャネルアセスメント回路９５５は、プログラマブルチップ、プロセッサ、メモリ、およびネットワークインターフェースのうちの１つまたは複数を含む場合がある。たとえば、送信電力ベースのクリアチャネルアセスメント回路９５５は、プロセッサ２０４または選択的ＣＣＡ回路２２８を含む場合がある。いくつかの実装形態では、チャネルが利用可能であるかどうかを決定するための手段は、チャネル利用可能性回路９６０を含む場合がある。
【０１４５】
[00172]いくつかの実装形態では、チャネル利用可能性回路９６０は、ブロック９０５〜９４０に関して上記で説明された機能のうちの１つまたは複数を実行するように構成される場合がある。チャネル利用可能性回路９６０は、プログラマブルチップ、プロセッサ、メモリ、およびネットワークインターフェースのうちの１つまたは複数を含む場合がある。たとえば、チャネル利用可能性回路９６０は、プロセッサ２０４または選択的ＣＣＡ回路２２８を含む場合がある。いくつかの実装形態では、チャネルが利用可能であるかどうかを決定するための手段は、チャネル利用可能性回路９６０を含む場合がある。
【０１４６】
[00173]いくつかの実装形態では、可変電力送信回路９７０は、ブロック９４５に関して上記で説明された機能のうちの１つまたは複数を実行するように構成される場合がある。可変電力送信回路９７０は、プログラマブルチップ、プロセッサ、メモリ、およびネットワークインターフェースのうちの１つまたは複数を含む場合がある。たとえば、可変電力送信回路９７０は送信機２１０を含む場合がある。いくつかの実装形態では、特定の帯域幅および／または電力レベルでメッセージを送信するための手段は、可変電力送信回路９７０を含む場合がある。
【０１４７】
[00174]図１０Ａは、クリアチャネルアセスメントの一実装形態のフローチャートである。一態様では、プロセス１０００は、図２に示されたデバイス２０２によって実行される。いくつかの態様では、プロセス１０００は、図８Ａのブロック８１０によって実行される場合がある。他の態様では、プロセス１０００は、異なるクリアチャネルアセスメントプロセスの一部として実行される場合がある。たとえば、プロセス１０００は、送信電力に基づかないクリアチャネルアセスメントプロセスの一部として実行される場合がある。
【０１４８】
[00175]フローチャート１０００は、４つのバックオフ手順が少なくとも部分的に経時的に並行して実施されることを示す。バックオフ手順１００５ａ〜ｄの各々は、少なくとも部分的に同時に実施される。いくつかの態様では、各バックオフ手順は、別個の実行スレッド内で実施されるか、または異なるプロセッサ上で動作する場合があり、真の並列実行をもたらす。いくつかの他の態様では、バックオフ手順のうちの２つ以上が単一の実行スレッド内で実施される場合がある。この単一の実行スレッドは、複数のバックオフカウンタを使用して、および少なくとも２組のバックオフパラメータ、たとえば少なくとも２つのバックオフ手順に対応する複数のエネルギーしきい値の適用により、少なくとも２つのバックオフ手順を追跡することができる。
【０１４９】
[00176]プロセス１０００の図示された例では、バックオフ手順１００５ｄは、それぞれ、バックオフ手順１００５ｃ、１００５ｂ、および１００５ａに続いて完了するために、最も多い経過時間を消費する。いくつかの態様では、バックオフ手順１００５ａ〜ｄの各々は、様々な送信帯域幅に基づく。たとえば、バックオフ手順１００５ａ〜ｄの各々は、媒体が利用可能であるかどうかを決定するために、異なるエネルギーしきい値を利用することができる。バックオフ手順１００５ａ〜ｄの各々はまた、エネルギーを検出するためにワイヤレス媒体上の異なる周波数レンジを利用することができる。バックオフ手順１００５ａ〜ｄの各々はさらに、パケット検出を実行するために様々な周波数レンジを利用することができる。いくつかの態様では、バックオフ手順１００５ａ〜ｄの各々は、異なる送信帯域幅上でクリアチャネルアセスメントを実行するために利用される。たとえば、バックオフ手順１００５ａ〜ｄは、それぞれ、２０Ｍｈｚ、４０Ｍｈｚ、６０Ｍｈｚ、および８０Ｍｈｚの送信帯域幅に対応する場合がある。いくつかの他の態様では、バックオフ手順１００５ａ〜ｄは、それぞれ、１Ｍｈｚ、２Ｍｈｚ、４Ｍｈｚ、および１６Ｍｈｚの送信帯域幅に対応する場合がある。
【０１５０】
[00177]バックオフ手順１００５ａが完了した後、決定ブロック１０１０ａは、第１の送信帯域幅がある時間期間の間利用可能であるかどうかを決定する。たとえば、決定ブロック１０１０ａは、第１の送信帯域幅内のエネルギーの複数の測定を行うことができる。第１の送信帯域幅内のエネルギーの測定値が、第１の送信帯域幅に対応する第１のエネルギーしきい値を上回る場合、第１の送信帯域幅は利用不可であると決定され得る。いくつかの態様では、決定ブロック１０１０ａはまた、第１の送信帯域幅が利用可能であるかどうかを決定するために、第１の送信帯域幅内でパケット検出を実行することができる。上記で説明されたように、パケットが第１の送信帯域幅内で検出された場合、ブロック１０１０ａは、第１の送信帯域幅が利用不可であると決定することができる。
【０１５１】
[00178]図示された態様では、第１の送信帯域幅が利用可能であるかどうかの決定の間の時間期間は、ポイント協調機能フレーム間スペース（ＰＩＦＳ）時間である。他の態様では、時間期間はＰＩＦＳ時間よりも長い場合がある。第１の送信帯域幅が利用可能である場合、ブロック１０１５ａにおいて、第１の送信帯域幅で送信が実行される。決定ブロック１０１０ａで第１の送信帯域幅が利用可能でない場合、プロセス１０００は、バックオフ手順１００５ｂが完了するまで待機する。バックオフ手順１００５ｂが完了した後、決定ブロック１０１０ｂは、第２の送信帯域幅がＰＩＦＳ時間の間利用可能であるかどうかを決定する。
【０１５２】
[00179]決定ブロック１０１０ｂは、ブロック１０１０ａに関して上述された方式と同様の方式で決定を行うことができる。しかしながら、ブロック１０１０ｂは第２の送信帯域幅が利用可能であるかどうかを検出しているので、ブロック１０１０ｂは第２の送信帯域幅に関連付けられたエネルギー検出しきい値を利用することができる。いくつかの態様では、この関連付けは、開示された方法とシステムとを利用するワイヤレス通信規格によって提供される場合がある。他の態様では、この関連付けは、アクセスポイントなどの別のワイヤレスデバイスによって提供される場合がある。ブロック１０１０ｂはまた、第２の送信帯域幅が利用可能であるかどうかを決定するときに、第２の送信帯域幅内でパケット検出を実行することができる。１つまたは複数のパケットが第２の送信帯域幅内で検出された場合、ブロック１０１０ｂは、第２の送信帯域幅が利用可能でないと決定することができる。
【０１５３】
[00180]第２の送信帯域幅が利用可能である場合、ブロック１０１５ｂにおいて、第２の送信帯域幅にわたって送信が実行される。第２の送信帯域幅が利用可能でない場合、プロセス１０００は、バックオフ手順１００５ｃが完了するまで待機する。バックオフ手順１００５ｃが完了すると、決定ブロック１０１０ｃは、第３の送信帯域幅がある時間期間の間利用可能であるかどうかを決定する。同様に、図示された態様はＰＩＦＳの時間期間を利用するが、他の時間期間が考えられる。
【０１５４】
[00181]上述されたように、決定ブロック１０１０ｃが、第３の送信帯域幅が利用可能であるかどうかを決定するときに、第３の送信帯域幅に対応する第３のエネルギーしきい値を利用することができ、第３の送信帯域幅内でパケット検出を実行することができることを除き、決定ブロック１０１０ｃは、ブロック１０１０ａおよび１０１０ｂに関して上述された方式と同様の方式で決定を行うことができる。
【０１５５】
[00182]第３の送信帯域幅が利用可能であると決定された場合、ブロック１０１５ｃにおいて、第３の送信帯域幅での送信が実行される。第３の送信帯域幅が利用可能でない場合、プロセス１０００は、バックオフ手順１００５ｄが完了するまで待機する。
【０１５６】
[00183]１００５ｄのバックオフが完了すると、決定ブロック１０１０ｄは、第４の送信帯域幅がある時間期間の間利用可能であるかどうかを決定する。ブロック１０１０ａ〜ｃに関して上記で説明されたように、決定ブロック１０１０ｄは、第４の送信帯域幅が利用可能であるかどうかを決定するときに、第４のエネルギーしきい値を利用し、第４の送信帯域幅内でパケット検出を実行することができる。第４の送信帯域幅が利用可能である場合、第４の送信帯域幅で送信が実行される。
【０１５７】
[00184]図１０のフローチャートによって示されていないが、決定ブロック１０１０ｄにおいて第４の送信帯域幅が利用可能でない場合、プロセス１０００のいくつかの実装形態は、バックオフ手順１００５ａ〜ｄの各々を実施することに戻ることができる。プロセス１０００のいくつかの他の実装形態は、単一の帯域幅、たとえば、利用可能性の決定をもたらす可能性が最も高い帯域幅について、バックオフ手順を実施することができる。
【０１５８】
[00185]少なくとも部分的に並行して実行される複数のバックオフ手順を利用することによって、プロセス１０００は、複数のバックオフ手順を連続的に実行することになる不必要な遅延をもたらさずに、最も適切な送信チャネルを識別することができる。加えて、各潜在的な送信チャネルに対応するエネルギー検出しきい値の使用により、潜在的な送信チャネルごとに具体的に適応されたバックオフ手順を使用すると、チャネルが送信用に選択されるときに発生する衝突の確率が低減され得る。
【０１５９】
[00186]図１０Ａに関して上記に開示された送信帯域幅の各々は、それぞれ異なる送信帯域幅であり得る。いくつかの態様では、第１、第２、および第３の送信帯域幅の各々は、ワイヤレスネットワーク上の２次チャネルに関連付けられる場合がある。いくつかの態様では、第４の送信帯域幅は、ワイヤレスネットワーク上の１次チャネルに関連付けられる。
【０１６０】
[00187]いくつかの態様では、第４の送信帯域幅は、第３、第２、または第１の送信帯域幅よりも低い帯域幅である。いくつかの態様では、第２の送信帯域幅は第３の送信帯域幅よりも広く、第３の送信帯域幅は第４の送信帯域幅よりも広い。
【０１６１】
[00188]いくつかの態様では、第１の送信帯域幅の物理的な帯域幅は、第４の送信帯域幅の物理的な帯域幅と重複する。たとえば、第１の送信帯域幅は、いくつかの実装形態では１６Ｍｈｚであり得るし、第４の送信帯域幅は、それらの実装形態では２Ｍｈｚである。いくつかの態様では、第１の送信帯域幅の１６Ｍｈｚの帯域幅は、２Ｍｈｚの第４の送信帯域幅の物理的な周波数レンジを含む。いくつかの態様では、第２および第３の送信帯域幅は、同様にして第４の送信帯域幅と重複する場合がある。
【０１６２】
[00189]図１０Ｂは、図２のワイヤレス通信デバイス２０２内で採用され得るワイヤレス装置の機能ブロック図である。ワイヤレス通信装置が図１０Ｂに示された簡略化されたワイヤレス通信装置１０５０よりも多くの構成要素を有する場合があることを当業者は諒解されよう。図示されたワイヤレス通信装置１０５０は、特許請求の範囲内の実装形態のいくつかの顕著な特徴を記載するために有用なそれらの構成要素のみを含む。ワイヤレス通信装置１０５０は、並列クリアチャネルアセスメント回路１０５５と、チャネル利用可能性回路１０６０と、可変帯域幅送信回路１０７０とを含む場合がある。
【０１６３】
[00190]いくつかの実装形態では、並列クリアチャネルアセスメント回路１０５５は、ブロック１００５ａ〜ｄに関して上記で説明された機能のうちの１つまたは複数を実行するように構成される場合がある。並列クリアチャネルアセスメント回路１０５５は、プログラマブルチップ、プロセッサ、メモリ、およびネットワークインターフェースのうちの１つまたは複数を含む場合がある。たとえば、並列クリアチャネルアセスメント回路１０５５は、プロセッサ２０４または選択的ＣＣＡ回路２２８を含む場合がある。いくつかの実装形態では、バックオフ手順を実施するための手段は、並列クリアチャネルアセスメント回路１０５５を含む場合がある。
【０１６４】
[00191]いくつかの実装形態では、チャネル利用可能性回路１０６０は、ブロック１０１０ａ〜ｄに関して上記で説明された機能のうちの１つまたは複数を実行するように構成される場合がある。チャネル利用可能性回路１０６０は、プログラマブルチップ、プロセッサ、メモリ、およびネットワークインターフェースのうちの１つまたは複数を含む場合がある。たとえば、チャネル利用可能性回路１０６０は、プロセッサ２０４または選択的ＣＣＡ回路２２８を含む場合がある。いくつかの実装形態では、送信帯域幅が利用可能であるかどうかを決定するための手段は、チャネル利用可能性回路１０６０を含む場合がある。
【０１６５】
[00192]いくつかの実装形態では、可変帯域幅送信回路１０７０は、ブロック１０１５ａ〜ｄに関して上記で説明された機能のうちの１つまたは複数を実行するように構成される場合がある。可変帯域幅送信回路１０７０は、プログラマブルチップ、プロセッサ、メモリ、およびネットワークインターフェースのうちの１つまたは複数を含む場合がある。たとえば、可変帯域幅送信回路１０７０は送信機２１０を含む場合がある。いくつかの実装形態では、特定の帯域幅を介して送信するための手段は、可変帯域幅送信回路１０７０を含む場合がある。
【０１６６】
[00193]図１１Ａは、ワイヤレス媒体上のクリアチャネルアセスメントの方法の１つの例示的な実装形態を示す。一態様では、プロセス１１００は、図２に示されたワイヤレスデバイス２０２によって実行される場合がある。いくつかの態様では、プロセス１１００は、図８Ａのブロック８１０によって実行される場合がある。他の態様では、プロセス１１００は、異なるクリアチャネルアセスメントプロセスの一部として実行される場合がある。たとえば、プロセス１１００は、送信電力に基づかないクリアチャネルアセスメントプロセスの一部として実行される場合がある。
【０１６７】
[00194]ブロック１１０５において、少なくとも第１の送信帯域幅に対応する第１のエネルギーしきい値に基づいて、バックオフ手順が実施される。たとえば、ワイヤレス通信規格は、第１の送信帯域幅を第１のエネルギー検出しきい値に関連付けることができる。規格は、第１のエネルギー検出しきい値を上回るエネルギーの検出が、第１の送信帯域幅が利用可能でないことを示すと規定する場合がある。一態様では、検出されたエネルギーは、第１の送信帯域幅内にのみ含まれるエネルギーであり得る。いくつかの態様では、バックオフはさらに、第１の送信帯域幅内のパケット検出に基づく場合がある。たとえば、パケットが第１の送信帯域幅内で検出される間、バックオフは、完了状態に向けて進むことが許されない場合がある。いくつかの態様では、バックオフは、少なくとも第１の送信帯域幅に基づく。上記で説明されたように、１組のバックオフパラメータが送信帯域幅に関連付けられる場合がある。バックオフパラメータには、エネルギー検出しきい値、パケット検出エネルギーしきい値、および／または（通常、送信帯域幅に等しい）パケット検出帯域幅が含まれ得る。
【０１６８】
[00195]ブロック１１１０において、少なくとも第１および第２の送信帯域幅に基づいて、第２のバックオフ手順が実施される。いくつかの態様では、少なくとも第１および第２のエネルギーしきい値に基づいて、第２のバックオフ手順が実施される。いくつかの態様では、少なくとも第２の送信帯域幅のみに基づいて、第２のバックオフ手順が実施される場合がある。たとえば、第２のバックオフ手順は、第２の送信帯域幅内のみでエネルギーを測定し、それを第２の送信帯域幅に対応するエネルギーしきい値と比較することができる。第２の送信帯域幅内のエネルギーが第２のエネルギーしきい値を上回る場合、バックオフは完了状態に向けて進まない場合がある。パケットが第２の送信帯域幅内で検出される間、第２のバックオフも、完了状態に向けて進まない場合がある。いくつかの態様では、第２のエネルギーしきい値は第１のエネルギーしきい値よりも低い場合があり、したがって、第１のエネルギーしきい値はいくつかの態様において冗長である。
【０１６９】
[00196]いくつかの他の態様では、ブロック１１１０の第２のバックオフ手順は、第１のエネルギーしきい値に対して第１の送信帯域幅内のエネルギー量を決定し、第２のエネルギーしきい値に対して第２の送信帯域幅内のエネルギー量を決定することができる。次いで、ブロック１１１０のバックオフは、各帯域内で検出されたエネルギー量がそのそれぞれのエネルギーしきい値を超えるかどうかに基づく場合がある。いくつかの態様では、第２のバックオフはさらに、第１の送信帯域幅内でパケットが検出されたかどうか、および第２の送信帯域幅内でパケットが検出されたかどうかに基づく場合がある。
【０１７０】
[00197]いくつかの態様では、第２のバックオフ手順は、複数の対応するエネルギーしきい値を利用する複数のバックオフカウンタを追跡することができる。第２のバックオフ手順は、少なくとも複数のバックオフカウンタに基づいて完了することができる。たとえば、完了しきい値に達する第１のバックオフカウンタは、第２のバックオフ手順の完了をトリガすることができる。
【０１７１】
[00198]第２のバックオフ手順が完了した後、決定ブロック１１１５は、第２の送信帯域幅が利用可能であるかどうかを決定する。いくつかの態様では、決定ブロック１１１５は、第２の送信帯域幅が利用可能であるかどうかを決定するために、ＰＩＦＳ時間期間にわたって第２の送信帯域幅の利用可能性を決定することができる。いくつかの態様では、ブロック１１１５の決定は、他の帯域幅の利用可能性の決定に関して前に説明されたように、少なくとも第２のエネルギーしきい値および／または第２の送信帯域幅内のパケット検出に基づく場合がある。第２の送信帯域幅が利用可能である場合、ブロック１１２０において、第２の送信帯域幅での送信が実行される。決定ブロック１１１５において第２の送信帯域幅が利用可能でない場合、決定ブロック１１２５は、第１の送信帯域幅が利用可能であるかどうかを決定する。いくつかの態様では、決定ブロック１１２５は、ＰＩＦＳ時間期間にわたって第１の送信帯域幅の利用可能性を決定することができる。いくつかの態様では、ブロック１１２５の決定は、他の帯域幅の利用可能性の決定に関して前に説明されたように、少なくとも第１のエネルギーしきい値および第１の送信帯域幅内のパケット検出に基づく場合がある。第１の送信帯域幅が利用可能である場合、ブロック１１３０において、第１の送信帯域幅での送信が実行される。いくつかの態様では、第１の送信帯域幅は第２の送信帯域幅よりも低い。そうでない場合、プロセス１１００は処理を続行する。いくつかの態様では、プロセス１１００はブロック１１０５または１１１０のうちの１つに戻る場合がある。
【０１７２】
[00199]１つまたは複数の２次送信帯域幅に対応するエネルギーしきい値に基づいて、少なくともバックオフ手順の一部を実施することによって、プロセス１１００は、ブロック１１０５と１１１０の組み合わされたバックオフ手順が完了したときに２次チャネルが送信に利用可能である確率を増やすことができる。
【０１７３】
[00200]図１１Ａの説明に関して上記に開示された送信帯域幅の各々は、それぞれ異なる送信帯域幅であり得る。いくつかの態様では、第２の送信帯域幅はワイヤレスネットワーク上の２次チャネルに関連付けられ、第１の送信帯域幅はワイヤレスネットワーク上の１次チャネルに関連付けられる。いくつかの態様では、第１の送信帯域幅は第２の送信帯域幅よりも低い帯域幅である。いくつかの態様では、第２の送信帯域幅の物理的な帯域幅は、第１の送信帯域幅の物理的な帯域幅と重複する。たとえば、第２の送信帯域幅は、いくつかの実装形態では１６Ｍｈｚであり得るし、第１の送信帯域幅は、それらの実装形態では２Ｍｈｚである。いくつかの態様では、第２の送信帯域幅の１６Ｍｈｚの帯域幅は、２Ｍｈｚの第１の送信帯域幅の物理的な周波数レンジを含む。
【０１７４】
[00201]図１１Ｂは、図２のワイヤレス通信デバイス２０２内で採用され得るワイヤレス装置の機能ブロック図である。ワイヤレス通信装置が図１１Ｂに示された簡略化されたワイヤレス通信装置１１５０よりも多くの構成要素を有する場合があることを当業者は諒解されよう。図示されたワイヤレス通信装置１１５０は、特許請求の範囲内の実装形態のいくつかの顕著な特徴を記載するために有用なそれらの構成要素のみを含む。ワイヤレス通信装置１１５０は、送信電力および送信帯域幅ベースのクリアチャネルアセスメント回路１１５５と、チャネル利用可能性回路１１６０と、送信電力および送信帯域幅決定回路１１６５と、可変帯域幅送信回路１１７０とを含む場合がある。
【０１７５】
[00202]いくつかの実装形態では、送信電力および送信帯域幅クリアチャネルアセスメント回路１１５５は、ブロック１１０５および１１１０に関して上記で説明された機能のうちの１つまたは複数を実行するように構成される場合がある。送信電力および送信帯域幅クリアチャネルアセスメント回路１１５５は、プログラマブルチップ、プロセッサ、メモリ、およびネットワークインターフェースのうちの１つまたは複数を含む場合がある。たとえば、送信電力および送信帯域幅クリアチャネルアセスメント回路１１５５は、プロセッサ２０４または選択的ＣＣＡ回路２２８を含む場合がある。いくつかの実装形態では、バックオフ手順を実施するための手段は、送信電力および送信帯域幅クリアチャネルアセスメント回路１１５５を含む場合がある。
【０１７６】
[00203]いくつかの実装形態では、チャネル利用可能性回路１１６０は、ブロック１１１５および／または１１２５に関して上記で説明された機能のうちの１つまたは複数を実行するように構成される場合がある。チャネル利用可能性回路１１６０は、プログラマブルチップ、プロセッサ、メモリ、およびネットワークインターフェースのうちの１つまたは複数を含む場合がある。たとえば、チャネル利用可能性回路１１６０は、プロセッサ２０４または選択的ＣＣＡ回路２２８を含む場合がある。いくつかの実装形態では、特定のチャネルが利用可能であるかどうかを決定するための手段は、チャネル利用可能性回路１１６０を含む場合がある。
【０１７７】
[00204]いくつかの実装形態では、送信帯域幅決定回路１１６５は、ブロック１１１５および／または１１２５に関して上記で説明された機能のうちの１つまたは複数を実行するように構成される場合がある。送信帯域幅決定回路１１６５は、プログラマブルチップ、プロセッサ、メモリ、およびネットワークインターフェースのうちの１つまたは複数を含む場合がある。たとえば、送信帯域幅決定回路１１６５は、プロセッサ２０４または選択的ＣＣＡ回路２２８を含む場合がある。いくつかの実装形態では、送信帯域幅を決定するための手段は、送信帯域幅決定回路１１６５を含む場合がある。
【０１７８】
[00205]いくつかの実装形態では、可変帯域幅送信回路１１７０は、ブロック１１２０および／または１１３０に関して上記で説明された機能のうちの１つまたは複数を実行するように構成される場合がある。可変帯域幅送信回路１１７０は、プログラマブルチップ、プロセッサ、メモリ、およびネットワークインターフェースのうちの１つまたは複数を含む場合がある。たとえば、可変帯域幅送信回路１１７０は送信機２１０を含む場合がある。いくつかの実装形態では、ある送信帯域幅で送信するための手段は、可変帯域幅送信回路１１７０を含む場合がある。
【０１７９】
[00206]図１２Ａは、ワイヤレス媒体上の送信電力ベースのクリアチャネルアセスメントの方法の１つの例示的な実装形態を示す。一態様では、プロセス１２００は、図２に示されたワイヤレスデバイス２０２によって実行される場合がある。いくつかの態様では、プロセス１２００は、図８Ａのブロック８１０によって実行される場合がある。他の態様では、プロセス１２００は、異なるクリアチャネルアセスメントプロセスの一部として実行される場合がある。たとえば、プロセス１２００は、送信電力に基づかないクリアチャネルアセスメントプロセスの一部として実行される場合がある。
【０１８０】
[00207]ブロック１２０５において、第１の送信帯域幅に基づいてバックオフ手順が実施される。いくつかの態様では、バックオフ手順は、第１のエネルギーしきい値に基づく場合がある。上記で説明されたように、エネルギーしきい値は、通信規格に基づく送信帯域幅に対応する場合がある。たとえば、通信規格は、特定の送信帯域幅が利用可能であるがどうかを決定するために特定のエネルギーしきい値が使用されることを示す場合がある。次いで、特定のエネルギーしきい値は、特定の送信帯域幅に対応すると言われる場合がある。いくつかの態様では、ブロック１２０５のバックオフ手順は、少なくとも第１の送信帯域幅内のエネルギーの測定値に基づく場合がある。第１の送信帯域幅内のエネルギーのこの測定値は、いくつかの態様においてバックオフ手順が進むべきかどうかを決定するために、第１のエネルギーしきい値と比較される場合がある。いくつかの態様では、バックオフはさらに、第１の送信帯域幅内のパケット検出に基づく場合がある。たとえば、ブロック１２０５のバックオフは、いくつかの態様において第１の送信帯域幅内でパケットが検出される間、進むことが許されない場合がある。
【０１８１】
[00208]ブロック１２１０は、第１の送信帯域幅が利用可能であるかどうかを決定する。この決定は、少なくとも上記で説明された第１のエネルギーしきい値、および／または第１の送信帯域幅上のパケット検出に基づく場合がある。いくつかの態様では、第１の送信帯域幅の利用可能性は、第１の送信帯域幅内のエネルギーの測定値に基づく場合がある。第１の送信帯域幅内のエネルギーのこの測定値は、いくつかの態様において第１のエネルギーしきい値と比較される場合がある。測定値がしきい値を上回る場合、第１の送信帯域幅はいくつかの態様において利用可能でない。エネルギーの測定値が第１のエネルギーしきい値を下回る場合、第１の送信帯域幅はいくつかの態様において利用可能である。いくつかの態様では、第１の送信帯域幅の利用可能性は、第１の送信帯域幅内のパケット検出に基づく場合がある。たとえば、パケットが第１の送信帯域幅内で検出された場合、ブロック１２１０は、第１の送信帯域幅が利用不可であると決定することができる。
【０１８２】
[00209]ブロック１２１５において第１の送信帯域幅が利用可能である場合、第１の電力レベルで第１の送信帯域幅で送信が実行される。第１の送信帯域幅が利用可能でない場合、第１の電力レベルよりも低い第２の電力レベルで第２の送信帯域幅で送信が実行される。
【０１８３】
[00210]ブロック１２２０は、第１の送信帯域幅よりも低い第２の送信帯域幅上で送信するので、ブロック１２２０が等価な電力レベルで送信した場合、第２の送信帯域幅に注入された帯域幅当たりのエネルギーは、ブロック１２０５において実行されるバックオフの設計考察において仮定され得るエネルギーよりも高いはずである。いくつかの態様では、図１２Ａの第１の送信帯域幅は、ワイヤレスネットワーク上の２次チャネルである。いくつかの態様では、図１２Ａの第２の送信帯域幅は、ワイヤレスネットワーク上の１次チャネルである。いくつかの態様では、第２の送信帯域幅は、第１の送信帯域幅とは異なる２次チャネルであり得る。
【０１８４】
[00211]第１の電力レベルよりも低い電力レベルを使用することによって、ブロック１２２０は、第１の電力レベルを使用するときに、エネルギーがより広い第１の送信帯域幅に注入されるであろう密度以下である、第２の送信帯域幅内の密度でワイヤレス媒体に潜在的な干渉を注入する。したがって、注入された周波数帯域当たりのエネルギーは、ブロック１２０５において実施されるバックオフと相関される。
【０１８５】
[00212]図１２Ｂは、図２のワイヤレス通信デバイス２０２内で採用され得るワイヤレス装置の機能ブロック図である。ワイヤレス通信装置が図１２Ｂに示された簡略化されたワイヤレス通信装置１２５０よりも多くの構成要素を有する場合があることを当業者は諒解されよう。図示されたワイヤレス通信装置１２５０は、特許請求の範囲内の実装形態のいくつかの顕著な特徴を記載するために有用なそれらの構成要素のみを含む。ワイヤレス通信装置１２５０は、送信電力ベースのクリアチャネルアセスメント回路１２５５と、チャネル利用可能性回路１２６０と、送信電力決定回路１２６５と、可変電力送信回路１２７０とを含む場合がある。
【０１８６】
[00213]いくつかの実装形態では、送信電力ベースのクリアチャネルアセスメント回路１２５５は、ブロック１２０５に関して上記で説明された機能のうちの１つまたは複数を実行するように構成される場合がある。送信電力ベースのクリアチャネルアセスメント回路１２５５は、プログラマブルチップ、プロセッサ、メモリ、およびネットワークインターフェースのうちの１つまたは複数を含む場合がある。たとえば、送信電力ベースのクリアチャネルアセスメント回路１２５５は、選択的ＣＣＡモジュール２２８および／またはプロセッサ２０４を含む場合がある。いくつかの実装形態では、バックオフ手順を実施するための手段は、選択的クリアチャネルアセスメント回路１２５５を含む場合がある。
【０１８７】
[00214]いくつかの実装形態では、チャネル利用可能性回路１２６０は、ブロック１２１０に関して上記で説明された機能のうちの１つまたは複数を実行するように構成される場合がある。チャネル利用可能性回路１２６０は、プログラマブルチップ、プロセッサ、メモリ、およびネットワークインターフェースのうちの１つまたは複数を含む場合がある。たとえば、チャネル利用可能性回路１２６０は、選択的ＣＣＡモジュール２２８および／またはプロセッサ２０４を含む場合がある。いくつかの実装形態では、チャネルが利用可能であるかどうかを決定するための手段は、チャネル利用可能性回路１２６０を含む場合がある。
【０１８８】
[00215]いくつかの実装形態では、送信電力決定回路１２６５は、ブロック１２２０および／または１２２５に関して上記で説明された機能のうちの１つまたは複数を実行するように構成される場合がある。送信電力決定回路１２６５は、プログラマブルチップ、プロセッサ、メモリ、およびネットワークインターフェースのうちの１つまたは複数を含む場合がある。たとえば、送信電力決定回路１２６５は、選択的ＣＣＡモジュール２２８および／またはプロセッサ２０４を含む場合がある。いくつかの実装形態では、送信電力を決定するための手段は、送信電力決定回路１２６５を含む場合がある。
【０１８９】
[00216]いくつかの実装形態では、可変電力送信回路１２７０は、ブロック１２２０および／または１２２５に関して上記で説明された機能のうちの１つまたは複数を実行するように構成される場合がある。可変電力送信回路１２７０は、プログラマブルチップ、プロセッサ、メモリ、およびネットワークインターフェースのうちの１つまたは複数を含む場合がある。たとえば、可変電力送信回路１２７０は送信機２０４を含む場合がある。いくつかの実装形態では、ある送信電力で送信するための手段は、可変電力送信回路１２７０を含む場合がある。
【０１９０】
[00217]図１３Ａは、ワイヤレス媒体上の送信電力ベースのクリアチャネルアセスメントの方法の１つの例示的な実装形態を示す。一態様では、プロセス１３００は、図２に示されたワイヤレスデバイス２０２によって実行される場合がある。いくつかの態様では、プロセス１３００は、図８Ａのブロック８１０によって実行される場合がある。他の態様では、プロセス１３００は、異なるクリアチャネルアセスメントプロセスの一部として実行される場合がある。たとえば、プロセス１３００は、送信電力に基づかないクリアチャネルアセスメントプロセスの一部として実行される場合がある。
【０１９１】
[00218]ブロック１３０５において、少なくとも第１の送信帯域幅に対応する第１のエネルギーしきい値に基づいて、バックオフ手順が実施される。いくつかの態様では、ブロック１３０５のバックオフ手順はさらに、第１の送信帯域幅内のパケット検出に基づく。たとえば、バックオフ手順は、第１の送信帯域幅内で１つまたは複数のパケットが検出される間、進まない場合がある。バックオフ手順は、第１の送信帯域幅に関連付けられたエネルギーしきい値、パケット検出エネルギーしきい値、および／またはパケット検出帯域幅などのパラメータに基づいて実施されるので、ブロック１３０５のバックオフ手順は、少なくとも第１の送信帯域幅に基づくと言うことができる。
【０１９２】
[00219]ブロック１３０５における第１のバックオフ手順の完了後、決定ブロック１３１０は、第１の送信帯域幅が利用可能であるかどうかを決定する。この決定は、少なくとも第１のエネルギーしきい値に基づく場合がある。第１のエネルギーしきい値は、第１の送信帯域幅に対応する場合がある。たとえば、第１の送信帯域幅は、ワイヤレスネットワーク上の２次チャネルであり得る。第１のエネルギーしきい値は、第１の送信帯域幅のクリアチャネルアセスメントに関連付けられる場合がある。
【０１９３】
[00220]いくつかの態様では、ブロック１３１０における利用可能性の決定はさらに、１次チャネルに対応するエネルギーしきい値に基づく場合がある。たとえば、ブロック１３１０は、２次チャネルが少なくともその送信帯域幅の一部について１次チャネルに依存する場合があるので、２次チャネルの利用可能性を決定することの一部として、１次チャネルの利用可能性を決定することができる。
【０１９４】
[00221]ブロック１３１０における決定はまた、ブロック１３０５のバックオフ手順に関して上記で説明されたように、第１の送信帯域幅内のパケット検出に基づく場合がある。パケット検出は、エネルギー検出しきい値とは別のパケット検出しきい値に基づく場合がある。第１の送信帯域幅が利用可能である場合、ブロック１３１５において、第１の送信帯域幅でメッセージが送信される。
【０１９５】
[00222]第１のバックオフ手順の完了時に第１の送信帯域幅が利用可能でない場合、少なくとも第２の送信帯域幅に対応する第２のエネルギーしきい値に基づいて、ブロック１３２０において、第２のバックオフ手順が実施される。いくつかの態様では、第２のバックオフ手順はさらに、第２の送信帯域幅内のパケット検出に基づく場合がある。たとえば、第２のバックオフ手順は、第１の送信帯域幅内で１つまたは複数のパケットが検出される間、進まない場合がある。第２のバックオフ手順は、第２の送信帯域幅に関連付けられたエネルギーしきい値、パケット検出エネルギーしきい値、および／またはパケット検出帯域幅などのパラメータに基づいて実施されるので、ブロック１３２０の第２のバックオフ手順は、少なくとも第２の送信帯域幅に基づくと言うことができる。ブロック１３２０における第２のバックオフ手順の完了後、第２の送信帯域幅が利用可能である場合、ブロック１３３０において、第２の送信帯域幅での送信が実行される。
【０１９６】
[00223]そうでない場合、少なくとも第３の送信帯域幅に対応する第３のエネルギーしきい値に基づいて、ブロック１３３５において、第３のバックオフ手順が実施される。前に説明されたバックオフ手順と同様に、第３のバックオフ手順は、第３の送信帯域幅内のパケット検出に基づく場合がある。第３のバックオフ手順は、第３の送信帯域幅に関連付けられたエネルギーしきい値、パケット検出エネルギーしきい値、および／またはパケット検出帯域幅などのパラメータに基づいて実施されるので、ブロック１３３５の第３のバックオフ手順は、少なくとも第３の送信帯域幅に基づくと言うことができる。ブロック１３３５における第３のバックオフ手順の完了後、第３の送信帯域幅が利用可能である場合、ブロック１３４５において、第３の送信帯域幅での送信が実行される。ブロック１３４０において第３の送信帯域幅が利用可能でない場合、少なくとも第４の送信帯域幅に対応する第４のエネルギーしきい値に基づいて、ブロック１３４６において、第４のバックオフ手順が実施される。第４のバックオフ手順はさらに、第４の送信帯域幅内のパケット検出に基づく場合がある。第４のバックオフ手順は、第４の送信帯域幅に関連付けられたエネルギーしきい値、パケット検出エネルギーしきい値、および／またはパケット検出帯域幅などのパラメータに基づいて実施されるので、ブロック１３４６の第４のバックオフ手順は、少なくとも第４の送信帯域幅に基づくと言うことができる。ブロック１３４６における第４のバックオフ手順の完了後、ブロック１３４７において第４の送信帯域幅が利用可能である場合、ブロック１３４８において、第４の送信帯域幅での送信が実行される。そうでない場合、プロセスは以下に続く。たとえば、一態様では、プロセス１３００はブロック１３０５に戻る場合がある。
【０１９７】
[00224]いくつかの態様では、図１２Ａの第１、第２、および第３の送信帯域幅は、ワイヤレスネットワーク上の２次チャネルであり、第４の送信帯域幅は１次チャネルである。いくつかの他の態様では、第４の送信帯域幅も２次チャネルである。いくつかの態様では、第１の送信帯域幅は第２の送信帯域幅よりも広く、第２の送信帯域幅は第３の送信帯域幅よりも広く、第３の送信帯域幅は第１の送信帯域幅よりも広い。いくつかの態様では、図１３Ａに関して説明された帯域幅のうちの２つ以上は重複する場合がある。たとえば、第４の送信帯域幅が１次チャネルである場合、第１の送信帯域幅を介して送信することはまた、１次チャネルに関連付けられた帯域幅を利用することができる。
【０１９８】
[00225]２次チャネル上で送信する前に２次チャネルに固有のバックオフ手順を必ずしも実施するとは限らない他の方法と比較されると、プロセス１３００により、衝突の確率が低減され得る。その送信帯域幅上で送信する前に各潜在的な送信帯域幅に対応するバックオフ手順を連続して実施することによって、プロセス１３００は、２次チャネル上で送信が開始される前に２次チャネルがアイドルである確率を上げるように設計される。
【０１９９】
[00226]図１３Ｂは、図２のワイヤレス通信デバイス２０２内で採用され得るワイヤレス装置の機能ブロック図である。ワイヤレス通信装置が図１３Ｂに示された簡略化されたワイヤレス通信装置１３５０よりも多くの構成要素を有する場合があることを当業者は諒解されよう。図示されたワイヤレス通信装置１３５０は、特許請求の範囲内の実装形態のいくつかの顕著な特徴を記載するために有用なそれらの構成要素のみを含む。ワイヤレス通信装置１３５０は、送信電力ベースのバックオフ選択回路１３５５と、しきい値依存バックオフ回路１３６０と、チャネル利用可能性決定回路１３６５と、帯域幅選択的送信回路１３７０とを含む場合がある。
【０２００】
[00227]いくつかの実装形態では、送信電力ベースのバックオフ選択回路１３５５は、ブロック１３０５、１３２０、１３３５、および１３４６に関して上記で説明された機能のうちの１つまたは複数を実行するように構成される場合がある。バックオフ選択回路１３５５は、プログラマブルチップ、プロセッサ、メモリ、およびネットワークインターフェースのうちの１つまたは複数を含む場合がある。たとえば、送信電力ベースのバックオフ選択回路１３５５は、選択的ＣＣＡモジュール２２８および／またはプロセッサ２０４を含む場合がある。いくつかの実装形態では、バックオフ手順を選択するための手段は、送信電力ベースのバックオフ選択回路１３５５を含む場合がある。
【０２０１】
[00228]デバイス１３５０はさらに、しきい値依存バックオフ回路１３６０を備えるように構成される場合がある。いくつかの実装形態では、しきい値依存バックオフ回路１３６０は、ブロック１３０５、１３２０、１３３５、および１３４６に関して上記で説明された機能のうちの１つまたは複数を実行するように構成される場合がある。しきい値依存バックオフ回路１３６０は、プログラマブルチップ、プロセッサ、メモリ、およびネットワークインターフェースのうちの１つまたは複数を含む場合がある。たとえば、しきい値依存バックオフ回路１３６０は、選択的ＣＣＡモジュール２２８および／またはプロセッサ２０４を含む場合がある。いくつかの実装形態では、バックオフのための手段は、しきい値依存バックオフ回路１３６０を含む場合がある。
【０２０２】
[00229]デバイス１３５０はさらに、チャネル利用可能性回路１３６５を含むように構成される場合がある。チャネル利用可能性回路１３６５は、上記で説明されたブロック１３１０、１３２５、１３４０、および／または１３４７の機能のうちの１つまたは複数を実行するように構成される場合がある。チャネル利用可能性回路１３６５は、プログラマブルチップ、プロセッサ、メモリ、およびネットワークインターフェースのうちの１つまたは複数を含む場合がある。たとえば、チャネル利用可能性回路１３６５はプロセッサ２０４を含む場合がある。いくつかの実装形態では、チャネル利用可能性を決定するための手段は、送信チャネル利用可能性回路１３６５を含む場合がある。
【０２０３】
[00230]デバイス１３５０はさらに、帯域幅選択的送信回路１３７０を含むように構成される場合がある。帯域幅選択的送信回路１３７０は、上記で説明されたブロック１３１５、１３３０、１３４５、および／または１３４８の機能のうちの１つまたは複数を実行するように構成される場合がある。帯域幅選択的送信回路１３７０は、プログラマブルチップ、プロセッサ、メモリ、およびネットワークインターフェースのうちの１つまたは複数を含む場合がある。たとえば、帯域幅選択的送信回路１３７０は送信機２１０を含む場合がある。いくつかの実装形態では、特定の帯域幅で送信するための手段は、帯域幅選択的送信回路１３７０を含む場合がある。
【０２０４】
[00231]図１４Ａは、ワイヤレス媒体上の送信電力ベースのクリアチャネルアセスメントの方法の１つの例示的な実装形態を示す。一態様では、プロセス１４００は、図２に示されたワイヤレスデバイス２０２によって実行される場合がある。いくつかの態様では、プロセス１４００は、図８Ａのブロック８１０によって実行される場合がある。他の態様では、プロセス１４００は、異なるクリアチャネルアセスメントプロセスの一部として実行される場合がある。たとえば、プロセス１４００は、送信電力に基づかないクリアチャネルアセスメントプロセスの一部として実行される場合がある。
【０２０５】
[00232]ブロック１４０５において、少なくとも第１の送信帯域幅に対応する第１のエネルギーしきい値に基づいて、第１のバックオフ手順が実施される。第１のバックオフ手順はさらに、第１の送信電力レベルに基づく。第１のバックオフ手順は、第１の送信帯域幅内のエネルギー量を決定し、その量の第１のエネルギーしきい値との相対比較を行うことができる。エネルギー量がエネルギーしきい値を上回る場合、第１のバックオフ手順は、第１の送信帯域幅が現在利用不可であると決定することができる。これにより、第１の送信帯域幅が利用可能であると決定する他の測定が実行されるまで、バックオフ手順が進まないように防止することができる。たとえば、バックオフ手順は、第１の送信帯域幅が利用可能であると決定されるまで、バックオフカウンタを減分または場合によっては調整しないことによって、進まないように防止され得る。いくつかの態様では、第１のバックオフ手順はさらに、第１の送信帯域幅内のパケット検出に基づく場合がある。たとえば、第１の送信帯域幅内でパケットが検出される間、バックオフ手順は、完了点に向かって進まないように防止され得る。バックオフ手順は、第１の送信帯域幅に関連付けられたエネルギーしきい値、パケット検出しきい値、および／またはパケット検出帯域幅などのパラメータに基づいて実施されるので、ブロック１４０５のバックオフ手順は、少なくとも第１の送信帯域幅に基づくと言うことができる。
【０２０６】
[00233]第１のバックオフ手順の完了後、第２の送信帯域幅が利用可能であるかどうかの決定が実行される。第２の送信帯域幅は第１の送信帯域幅よりも高い。第２のバックオフ手順はさらに、第２の送信帯域幅に対応する第２のエネルギーしきい値に基づく。第２のエネルギーしきい値はさらに、第１の送信電力レベルよりも高い第２の送信電力レベルに基づく場合がある。第２の送信帯域幅が利用可能であるかどうかの決定は、第２の送信帯域幅内のワイヤレス媒体上に存在するエネルギー量を測定することを含む場合がある。このエネルギー量は、第２のエネルギーしきい値に対して比較される場合がある。ワイヤレス規格は、第２のエネルギーしきい値を第２の送信帯域幅に関連付けることができる。エネルギー量が第２のエネルギーしきい値を超える場合、ブロック１４１０は、第２の送信帯域幅が利用可能でないと決定することができる。代替として、エネルギー量が第２のエネルギーしきい値を下回る場合、ブロック１４１０は、第２の送信帯域幅が利用可能であると決定することができる。いくつかの態様では、第２のバックオフ手順はさらに、第２の送信帯域幅内のパケット検出に基づく場合がある。たとえば、第２の送信帯域幅内でパケットが検出される間、第２のバックオフ手順は、完了点に向かって進まないように防止され得る。
【０２０７】
[00234]ブロック１４１５において第２の送信帯域幅が利用可能である場合、ブロック１４２５は、第３の電力レベルで第２の送信帯域幅で送信を実行する。第３の電力レベルは、第２の電力レベルを下回り、第１の電力レベルを上回る。ブロック１４０５において実施されたバックオフ手順は、第１の送信帯域幅および電力レベルに対応するパラメータに基づいていたので、第２の帯域幅にわたる送信は、そうでなければブロック１４１０の決定によって「正当化」された可能性がある、より低い電力レベルで実行される。たとえば、いくつかの態様では、ブロック１４０５のバックオフ手順は、１４０５のバックオフ手順が第２の電力レベルに対応するエネルギーしきい値に基づいて実施された場合になるはずのものよりも短い場合がある。
【０２０８】
[00235]ブロック１４１５において第２の送信帯域幅が利用可能でない場合、ブロック１４２０は、第１の送信電力レベルで第１の送信帯域幅を介して送信を実行する。いくつかの態様では、第２の送信帯域幅は第１の送信帯域幅よりも広いことに留意されたい。いくつかの態様では、第１の送信帯域幅はワイヤレスネットワーク上の１次チャネルであり得るし、第２の送信帯域幅はワイヤレスネットワーク上の２次チャネルである。いくつかの態様では、第２の送信帯域幅は第１の送信帯域幅を含む。たとえば、１６Ｍｈｚの２次チャネルを介する送信は、第１の送信帯域幅の周波数レンジを利用することができる。
【０２０９】
[00236]図１４Ｂは、図２のワイヤレス通信デバイス２０２内で採用され得るワイヤレス装置の機能ブロック図である。ワイヤレス通信装置が図１４Ｂに示された簡略化されたワイヤレス通信装置１４５０よりも多くの構成要素を有する場合があることを当業者は諒解されよう。図示されたワイヤレス通信装置１４５０は、特許請求の範囲内の実装形態のいくつかの顕著な特徴を記載するために有用なそれらの構成要素のみを含む。ワイヤレス通信装置１４５０は、送信電力ベースのクリアチャネルアセスメント回路１４５５と、チャネル利用可能性回路１４６０と、送信電力決定回路１４６５と、可変電力送信回路１４７０とを含む場合がある。
【０２１０】
[00237]いくつかの実装形態では、送信電力ベースのクリアチャネルアセスメント回路１４５５は、ブロック１４０５に関して上記で説明された機能のうちの１つまたは複数を実行するように構成される場合がある。送信電力ベースのクリアチャネルアセスメント回路１４５５は、プログラマブルチップ、プロセッサ、メモリ、およびネットワークインターフェースのうちの１つまたは複数を含む場合がある。たとえば、送信電力ベースのクリアチャネルアセスメント回路は、プロセッサ２０４または選択的ＣＣＡ回路２２８を含む場合がある。いくつかの実装形態では、送信電力ベースのクリアチャネルアセスメント回路のための手段は、送信電力ベースのクリアチャネルアセスメント回路１４５５を含む場合がある。
【０２１１】
[00238]デバイス１４５０はさらに、チャネル利用可能性回路１４６０を含むように構成される場合がある。チャネル利用可能性回路１４６０は、上記で説明されたブロック１４１０および／または１４１５の機能のうちの１つまたは複数を実行するように構成される場合がある。チャネル利用可能性回路１４６０は、プログラマブルチップ、プロセッサ、メモリ、およびネットワークインターフェースのうちの１つまたは複数を含む場合がある。たとえば、チャネル利用可能性回路１４６０はプロセッサ２０４を含む場合がある。いくつかの実装形態では、チャネル利用可能性を決定するための手段は、送信チャネル利用可能性回路１４６０を含む場合がある。
【０２１２】
[00239]デバイス１４５０はさらに、送信電力決定回路１４６５を含むように構成される場合がある。送信電力決定回路１４６５は、上記で説明されたブロック１４２０および／または１４２５の機能のうちの１つまたは複数を実行するように構成される場合がある。送信電力決定回路１４６５は、プログラマブルチップ、プロセッサ、メモリ、およびネットワークインターフェースのうちの１つまたは複数を含む場合がある。たとえば、送信電力決定回路１４６５はプロセッサ２０４を含む場合がある。いくつかの実装形態では、送信電力を決定するための手段は、送信電力決定回路１４６５を含む場合がある。
【０２１３】
[00240]デバイス１４５０はさらに、可変電力送信回路１４７０を含むように構成される場合がある。可変電力送信回路１４７０は、上記で説明されたブロック１４２０および／または１４２５の機能のうちの１つまたは複数を実行するように構成される場合がある。可変電力送信回路１４７０は、プログラマブルチップ、プロセッサ、メモリ、およびネットワークインターフェースのうちの１つまたは複数を含む場合がある。たとえば、可変電力送信回路１４７０は送信機２１０を含む場合がある。いくつかの実装形態では、ある電力レベルで送信するための手段は、可変電力送信回路１４７０を含む場合がある。
【０２１４】
[00241]いくつかの実装形態では、可変電力送信回路１４７０は、ブロック１４２０および１４２５に関して上記で説明された機能のうちの１つまたは複数を実行するように構成される場合がある。可変電力送信回路１４７０は、プログラマブルチップ、プロセッサ、メモリ、およびネットワークインターフェースのうちの１つまたは複数を含む場合がある。たとえば、送信回路は送信機２１０を含む場合がある。いくつかの実装形態では、特定の送信電力でメッセージを送信するための手段は、可変電力送信回路１４７０を含む場合がある。
【０２１５】
[00242]図１５Ａは、ワイヤレスネットワーク上のクリアチャネルアセスメントの方法の１つの例示的な実装形態を示す。一態様では、プロセス１５００は、図２に示されたワイヤレスデバイス２０２によって実行される場合がある。たとえば、いくつかの態様では、ブロック１５１５が送信機２１０によって実行されている間に、ブロック１５０５〜１５１０がプロセッサ２０４によって実行される場合がある。
【０２１６】
[00243]上記で説明されたように、いくつかの態様では、クリアチャネルアセスメントしきい値は、送信帯域幅に基づく場合がある。たとえば、より広い送信帯域幅にわたる送信は、より狭い送信帯域幅にわたる送信よりも、より多くのエネルギーをネットワークに注入する。したがって、いくつかの態様では、より広い送信帯域幅にわたる送信は、より狭い帯域幅にわたる送信に先行するバックオフ手順よりも低いＣＣＡしきい値を利用するバックオフ手順を利用することができる。ワイヤレスネットワーク上に注入されるべきエネルギー量に基づいて（すなわち、送信帯域幅に基づいて）、バックオフ手順の感度を（送信帯域幅に特有のＣＣＡしきい値を介して）調整することによって、クリアチャネルアセスメント方式は、異なる送信パラメータを利用するデバイスにワイヤレス媒体をより公平に割り振ることができる。
【０２１７】
[00244]ブロック１５０５において、第１の送信帯域幅に基づいて、クリアチャネルアセスメントしきい値が決定される。第１の送信帯域幅は、第１のメッセージを対象とする送信帯域幅であり得る。決定されたクリアチャネルアセスメントしきい値は、第１の送信帯域幅に関連付けられる場合があり、決定はその関連付けに基づく場合がある。たとえば、プロセス１５００を実行するデバイスは、アクセスポイントとの通信を介して、第１の送信帯域幅と決定されたクリアチャネルアセスメントしきい値との間の関連付けを受信することができる。いくつかの態様では、ワイヤレスネットワーク上のデバイスは、アクセスポイントなどの別のワイヤレスデバイスから、特定のクリアチャネルアセスメントしきい値に対する送信周波数および／または送信電力の１つまたは複数のマッピングを受信することができる。いくつかの態様では、プロセス１５００を実行するデバイスなどのワイヤレスネットワーク上のデバイスは、ＣＣＡしきい値に対する送信周波数／送信電力のマッピングをハードコーディングすることができる。これらのマッピングは、たとえば、８０２．１１規格などの業界規格によって提供された仕様に基づく場合がある。
【０２１８】
[00245]クリアチャネルアセスメントしきい値は、ワイヤレス媒体上の１つまたは複数の状態を検出するために利用される場合がある。ワイヤレス媒体上のエネルギーレベルは、クリアチャネルアセスメントしきい値と比較される場合がある。エネルギーレベルがＣＣＡしきい値を上回る場合、状態が存在すると決定され得る。エネルギーレベルがＣＣＡしきい値を下回る場合、状態が存在しないと決定され得る。
【０２１９】
[00246]１つのクリアチャネルアセスメントしきい値は、パケット検出しきい値である。パケット検出しきい値は、パケットがワイヤレス媒体を介して送信されているかどうかを決定するために、いくつかのバックオフ手順によって使用される場合がある。たとえば、ワイヤレス媒体の信号レベルがパケット検出しきい値を超える場合、パケットまたは少なくともパケットプリアンブルを識別または検出するために、信号が復号される場合がある。いくつかのバックオフ手順は、媒体上でパケットが検出されたか否かに基づいて、ワイヤレス媒体がアイドルであるかどうかを決定することができる。
【０２２０】
[00247]別のクリアチャネルアセスメントしきい値は、エネルギー検出しきい値であり得る。エネルギー検出しきい値は、ワイヤレス媒体がアイドルであるかどうかを決定するために、ワイヤレス媒体のエネルギーレベルと比較される場合がある。いくつかの態様では、エネルギー検出しきい値は、非８０２．１１ワイヤレス通信がワイヤレス媒体上で発生しているかどうかを決定するために使用される場合がある。いくつかのバックオフ手順は、ワイヤレス媒体のエネルギーレベルがエネルギー検出しきい値を上回るかどうかに基づいて、ワイヤレス媒体がアイドルであるかどうかを決定することができる。いくつかの態様では、クリアチャネルアセスメントしきい値は、中間パケット検出しきい値である。中間パケット検出しきい値は、パケットがネットワーク上で送信されているかどうかを決定するために使用される場合がある。中間パケット検出しきい値に対するワイヤレス媒体のエネルギーレベルは、いくつかの実装形態において、ワイヤレス媒体がアイドルであるかどうか決定するために利用される場合がある。
【０２２１】
[00248]ブロック１５１０において、決定されたクリアチャネルアセスメントしきい値に基づいて、バックオフ手順が実施される。たとえば、バックオフ手順は、ワイヤレス媒体がアイドルであるかどうか決定するために、決定されたクリアチャネルアセスメントしきい値を利用することができる。上記で説明されたように、ワイヤレス媒体のエネルギーレベルがしきい値を下回る場合、ワイヤレス媒体はアイドルであると決定され得る。いくつかの態様では、ワイヤレス媒体のエネルギーレベルは、１組のしきい値と比較される場合がある。これらの態様では、ワイヤレス媒体がアイドルであるかどうかは、１組のしきい値に対するワイヤレス媒体のエネルギーレベルに基づく場合がある。
【０２２２】
[00249]ワイヤレス媒体がアイドルであると決定された場合、バックオフアルゴリズムは進むことができる。いくつかの態様では、これは、終了条件に向かってバックオフカウンタを減分することを含む場合がある。媒体がアイドルでないと決定された場合、バックオフ手順は進まない場合があるが、「ループ」し、さらなるアイドル決定が実行されるまで、ある時間期間の間待機し続けることができる。図９Ａは、クリアチャネルアセスメントしきい値を利用するバックオフ手順の一例を提供する。たとえば、図９Ａに関して説明された第１のエネルギーしきい値と第２のエネルギーしきい値の両方は、クリアチャネルアセスメントしきい値と考えることができる。プロセス９００は、（ブロック９４５を除き）いくつかの態様におけるバックオフ手順と考えることができる。
【０２２３】
[00250]いくつかの態様では、第１のバックオフ手順の完了に応答して、第２のバックオフ手順が実施される場合がある。たとえば、第１のバックオフ手順が完了した後、第１の送信帯域幅はまだ利用不可であると決定される場合がある。次いで、いくつかの実装形態は、第２の送信周波数に基づいて、第２のバックオフ手順を開始することができる。たとえば、一実装形態は、最初に、広い送信帯域幅を介して送信しようと試みることができる。広い送信帯域幅に関連付けられたバックオフ手順を完了させた後、広い送信帯域幅が利用不可である場合、より狭い送信帯域幅が選択される場合がある。次いで、より狭い送信帯域幅に関連付けられたバックオフ手順が実施される場合がある。この第２のバックオフ手順の完了後、より狭い帯域幅の対応するバックオフ手順が完了した後、より狭い帯域幅が利用可能であると決定された場合、より狭い帯域幅を介してメッセージが送信される場合がある。
【０２２４】
[00251]いくつかの態様では、第１のサブバックオフ手順および第２のサブバックオフ手順が、少なくとも部分的に並行して実施される場合がある。サブバックオフ手順の各々は、異なる送信帯域幅に基づく場合がある。たとえば、図１０Ａに示されたように、ブロック１００５ａは第１の送信帯域幅に対応する第１のエネルギーしきい値に基づいてバックオフを実施し、ブロック１００５ｂは第２の送信帯域幅に対応する第２のエネルギーしきい値に基づいてバックオフ手順を実施する。いくつかの態様では、少なくとも２つのサブバックオフ手順のうちの第１のサブバックオフ手順が完了すると、第１のサブバックオフ手順に対応する（または第１のサブバックオフ手順によって使用されるＣＣＡしきい値に対応する）送信帯域幅を介してメッセージが送信される。
【０２２５】
[00252]ブロック１５１５において、第１のバックオフ手順の完了に応答して、第１のワイヤレスメッセージが送信される。いくつかの態様では、第１のバックオフ手順に関連付けられたバックオフカウンタが終了しきい値に達すると、第１のバックオフ手順は完了したと考えることがきる。いくつかの態様では、終了しきい値はゼロであり得る。たとえば、図９Ａの例では、決定ブロック９４０の「はい」分岐がとられたとき、バックオフ手順が完了する。
【０２２６】
[00253]図１５Ｂは、図２のワイヤレス通信デバイス２０２内で採用され得るワイヤレス装置の機能ブロック図である。ワイヤレス通信装置が図１５Ｂに示された簡略化されたワイヤレス通信装置１５５０よりも多くの構成要素を有する場合があることを当業者は諒解されよう。図示されたワイヤレス通信装置１５５０は、特許請求の範囲内の実装形態のいくつかの顕著な特徴を記載するために有用なそれらの構成要素のみを含む。ワイヤレス通信装置１５５０は、送信周波数ベースのクリアチャネルアセスメントしきい値選択回路１５５５と、バックオフ回路１５６０と、送信回路１５６５とを含む場合がある。
【０２２７】
[00254]いくつかの実装形態では、送信周波数ベースのクリアチャネルアセスメントしきい値選択回路１５５５は、ブロック１５０５に関して上記で説明された機能のうちの１つまたは複数を実行するように構成される場合がある。送信周波数ベースのクリアチャネルアセスメントしきい値選択回路１５５５は、プログラマブルチップ、プロセッサ、メモリ、およびネットワークインターフェースのうちの１つまたは複数を含む場合がある。たとえば、送信周波数ベースのクリアチャネルアセスメントしきい値選択回路１５５５は、プロセッサ２０４または選択的ＣＣＡ回路２２８を含む場合がある。いくつかの実装形態では、送信周波数に基づいてＣＣＡしきい値を決定するための手段は、送信周波数ベースのクリアチャネルアセスメントしきい値選択回路１５５５を含む場合がある。
【０２２８】
[00255]いくつかの実装形態では、バックオフ回路１５６０は、ブロック１５１０に関して上記で説明された機能のうちの１つまたは複数を実行するように構成される場合がある。バックオフ回路１５６０は、プログラマブルチップ、プロセッサ、メモリ、およびネットワークインターフェースのうちの１つまたは複数を含む場合がある。たとえば、バックオフ回路１５６０は、プロセッサ２０４または選択的ＣＣＡ回路２２８を含む場合がある。いくつかの実装形態では、バックオフ手順を実施するための手段は、バックオフ回路１５６０を含む場合がある。
【０２２９】
[00256]いくつかの実装形態では、送信回路１５６５は、ブロック１５１５に関して上記で説明された機能のうちの１つまたは複数を実行するように構成される場合がある。送信回路１５６５は、プログラマブルチップ、プロセッサ、メモリ、およびネットワークインターフェースのうちの１つまたは複数を含む場合がある。たとえば、送信回路１５６５は送信機２１０を含む場合がある。いくつかの実装形態では、送信するための手段は送信回路１５６５を含む場合がある。
【０２３０】
[00257]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含む場合がある。また、「決定すること」は、受信すること（たとえば、情報を受信すること）、アクセスすること（たとえば、メモリ内のデータにアクセスすること）などを含む場合がある。また、「決定すること」は、解決すること、選択すること、選定すること、確立することなどを含む場合がある。さらに、本明細書で使用される「チャネル幅」は、いくつかの態様では帯域幅を包含する場合があるか、または帯域幅と呼ばれる場合もある。
【０２３１】
[00258]本明細書で使用される、項目のリスト「のうちの少なくとも１つ」に言及する句は、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０２３２】
[00259]上述された方法の様々な動作は、様々なハードウェア構成要素および／もしくはソフトウェア構成要素、回路、ならびに／またはモジュールなどの、動作を実行することが可能な任意の適切な手段によって実行される場合がある。一般に、図に示された任意の動作は、その動作を実行することが可能な対応する機能的手段によって実行される場合がある。
【０２３３】
[00260]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せにより、実装または実行される場合がある。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装される場合がある。
【０２３４】
[00261]１つまたは複数の態様では、記載された機能は、ハードウェア、ソフトウェア、ファームウェア、またはそれらの任意の組合せに実装される場合がある。ソフトウェアに実装される場合、それらの機能は、１つまたは複数の命令またはコードとして、コンピュータ可読媒体上に記憶されるか、またはコンピュータ可読媒体を介して送信される場合がある。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され、コンピュータによってアクセスされ得る、任意の他の媒体を備えることができる。さらに、いかなる接続もコンピュータ可読媒体と適切に呼ばれる。たとえば、同軸ケーブル、光ファイバケーブル、ツイストペア、デジタル加入者線（「ＤＳＬ」）、または赤外線、無線、およびマイクロ波などのワイヤレス技術を使用して、ソフトウェアがウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備える場合がある。加えて、いくつかの態様では、コンピュータ可読媒体は、一時的コンピュータ可読媒体（たとえば、信号）を備える場合がある。上記の組合せもコンピュータ可読媒体の範囲内に含まれるべきである。
【０２３５】
[00262]本明細書で開示された方法は、記載された方法を実現するための１つまたは複数のステップまたはアクションを備える。本方法のステップおよび／またはアクションは、特許請求の範囲から逸脱することなく、互いに交換される場合がある。言い換えれば、ステップまたはアクションの特定の順序が明記されていない限り、特定のステップおよび／またはアクションの順序および／または使用は、特許請求の範囲を逸脱することなく修正される場合がある。
【０２３６】
[00263]記載された機能は、ハードウェア、ソフトウェア、ファームウェア、またはそれらの任意の組合せに実装される場合がある。ソフトウェアに実装される場合、それらの機能は、１つまたは複数の命令として、コンピュータ可読媒体上に記憶される場合がある。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され、コンピュータによってアクセスされ得る、任意の他の媒体を備えることができる。本明細書で使用されるディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびブルーレイディスク（disc）を含み、ディスク（disk）は、通常、データを磁気的に再生し、ディスク（disc）は、データをレーザーで光学的に再生する。
【０２３７】
[00264]したがって、いくつかの態様は、本明細書に提示された動作を実行するためのコンピュータプログラム製品を備える場合がある。たとえば、そのようなコンピュータプログラム製品は、本明細書に記載された動作を実行するために１つまたは複数のプロセッサによって実行可能である命令をその上に記憶した（および／または符号化した）コンピュータ可読媒体を備える場合がある。いくつかの態様では、コンピュータプログラム製品は、パッケージング材料を含む場合がある。
【０２３８】
[00265]ソフトウェアまたは命令は、伝送媒体を介して送信される場合もある。たとえば、同軸ケーブル、光ファイバケーブル、ツイストペア、デジタル加入者線（「ＤＳＬ」）、または赤外線、無線、およびマイクロ波などのワイヤレス技術を使用して、ソフトウェアがウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０２３９】
[00266]さらに、本明細書に記載された方法と技法とを実施するためのモジュールおよび／または他の適切な手段は、適用可能な場合、ユーザ端末および／または基地局によってダウンロードおよび／または他の方法で取得され得ることを諒解されたい。たとえば、そのようなデバイスは、本明細書に記載された方法を実施するための手段の転送を容易にするために、サーバに結合され得る。代替として、本明細書に記載された様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）、またはフロッピーディスクなどの物理記憶媒体など）を介して提供され得る。その上、本明細書に記載された方法と技法とをデバイスに提供するための任意の他の適切な技法が利用され得る。
【０２４０】
[00267]特許請求の範囲は、上記で示されたそのままの構成および構成要素に限定されないことを理解されたい。上述された方法および装置の配置、動作、および詳細において、特許請求の範囲を逸脱することなく、様々な修正、変更、および変形が行われる場合がある。
【０２４１】
[00268]上記は、本開示の態様を対象とするが、本開示の基本的な範囲を逸脱することなく、本開示の他の態様およびさらなる態様が考案され得るし、本開示の範囲は以下の特許請求の範囲によって決定される。
【図１】
2016529774.tif 000003
【図２】
2016529774.tif 000004
【図３】
2016529774.tif 000005
【図４Ａ】
2016529774.tif 000006
【図４Ｂ】
2016529774.tif 000007
【図５】
2016529774.tif 000008
【図６Ａ】
2016529774.tif 000009
【図６Ｂ】
2016529774.tif 000010
【図７Ａ】
2016529774.tif 000011
【図７Ｂ】
2016529774.tif 000012
【図７Ｃ】
2016529774.tif 000013
【図８Ａ】
2016529774.tif 000014
【図８Ｂ】
2016529774.tif 000015
【図９Ａ】
2016529774.tif 000016
【図９Ｂ】
2016529774.tif 000017
【図１０Ａ】
2016529774.tif 000018
【図１０Ｂ】
2016529774.tif 000019
【図１１Ａ】
2016529774.tif 000020
【図１１Ｂ】
2016529774.tif 000021
【図１２Ａ】
2016529774.tif 000022
【図１２Ｂ】
2016529774.tif 000023
【図１３Ａ】
2016529774.tif 000024
【図１３Ｂ】
2016529774.tif 000025
【図１４Ａ】
2016529774.tif 000026
【図１４Ｂ】
2016529774.tif 000027
【図１５Ａ】
2016529774.tif 000028
【図１５Ｂ】
2016529774.tif 000029
【国際調査報告】
2016529774.tif 000030
2016529774.tif 000031